(57)【要約】【課題】階段部材をどの場所にも組み込むことができ、かつ、枠組足場の作業床及び通路の幅の一部を広げたりステージングを組み込んでも隙間の発生の少ない床付き布枠と、この床付き布枠を組み込んでなる枠組足場を提供する。【解決手段】長尺の主材又は水平方向に平行に配設された複数枚の長尺の主材と、主材の両端部に取り付けられる２個の梁材と、主材の両端部の四隅に固定される４個の掴み金具からなる床付き布枠であって、両方の梁材には外向きに幅広の切欠き部又は凹部が形成され、かつ、その切欠き部又は凹部の中央位置と梁材の中央位置とが異なることを特徴とする床付き布枠。【選択図】図２４
2010070975.tif 000002
【特許請求の範囲】
【請求項１】
長尺の主材又は水平方向に平行に配設された複数枚の長尺の主材と、主材の両端部に取り付けられる２個の梁材と、主材の両端部の四隅に固定される４個の掴み金具からなる床付き布枠であって、両方の梁材には外向きに幅広の切欠き部又は凹部が形成され、かつ、その切欠き部又は凹部の中央位置と梁材の中央位置とが異なることを特徴とする床付き布枠。
【請求項２】
長尺の主材又は水平方向に平行に配設された複数枚の長尺の主材と、主材の両端部に取り付けられる２個の梁材と、両方の梁材の外側に平行に接合された２個の突出部材と、主材の両端部の四隅に固定される４個の掴み金具からなる床付き布枠であって、両方の突出部材には外向きに幅広の切欠き部又は凹部が形成され、かつ、その切欠き部又は凹部の中央位置と突出部材の中央位置とが異なることを特徴とする床付き布枠。
【請求項３】
長尺の主材又は水平方向に平行に配設された複数枚の長尺の主材と、主材の両端部に取り付けられる２個の梁材と、一方の梁材の外側に平行に接合された１個の突出部材と、主材の両端部の四隅に固定される４個の掴み金具からなる床付き布枠であって、他方の梁材には外向きに幅広の切欠き部又は凹部が形成され、かつ、その切欠き部又は凹部の中央位置と梁材の中央位置とが異なるものであるとともに、突出部材には外向きに幅広の切欠き部又は凹部が形成され、かつ、その切欠き部又は凹部の中央位置と突出部材の中央位置とが異なることを特徴とする床付き布枠。
【請求項４】
梁材又は突出部材の中央位置には床付き布枠の両端部に形成される外向きの幅広の切欠き部又は凹部の一部が設けられていることを特徴とする、請求項１から３までのいずれかに記載の床付き布枠。
【請求項５】
床付き布枠の両端部に形成される外向きの幅広の切欠き部又は凹部の中央位置が同じ方向に偏っていることを特徴とする、請求項１から４までのいずれかに記載の床付き布枠。
【請求項６】
切欠き部又は凹部には開閉可能な蓋が設けられていることを特徴とする、請求項１から５までのいずれかに記載の床付き布枠。
【請求項７】
請求項１から６までのいずれかに記載の床付き布枠が組み込まれていることを特徴とする枠組足場。
【請求項８】
請求項７に記載の枠組足場であって、さらに階段部材が組み込まれていることを特徴とする枠組足場。
【請求項９】
請求項７又は８に記載の枠組足場であって、枠組足場を構成する建枠の縦柱又は支柱の一部に、長さ可変の横材を有するブラケットが取り付けられていることを特徴とする枠組足場。
【請求項１０】
請求項７から９までのいずれかに記載の枠組足場であって、ステージングが組み込まれていることを特徴とする枠組足場。
【発明の詳細な説明】
【技術分野】
【０００１】
本発明は、建築現場等で枠組足場の作業床及び通路として使用される床付き布枠並びにこの床付き布枠を組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、通常、横桟と縦柱から構成されるＨ形状や鳥居形状の建枠を複数個組み立てることによって形成される。すなわち、建枠の複数個を、所定の間隔で建物等の構造物とは直角に立設し、隣接する建枠の縦柱の間に筋違や手摺枠を取り付け固定して複数個の建枠を自立させた後、隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、Ｈ形状の建枠（以下、「Ｈ枠」という。）を用いて建枠式の枠組足場を形成する一例を、図１に示す。(a)が正面図、(b)が右側面図である。
【０００５】
３個のＨ枠１を建物２２とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の手摺枠１３をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に手摺枠１３をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に手摺枠１３を取り付けて固定し、その後、３段目のＨ枠１の横桟３に床付き布枠１１を架け渡して、３段目の足場を形成する。このようにして、必要な段数になるまで枠組足場を形成する。
【０００６】
また、建枠を用いる他の例として、鳥居形状の建枠（以下、「鳥居枠」という。）を用いて建枠式の枠組足場を形成する１例を、図２に示す。(a)が正面図、(b)が右側面図である。
【０００７】
まず３個の鳥居枠４を建物２２とは直角に等間隔に並べ、隣接する鳥居枠４との間に、建物とは反対側に筋違１３をロック金具８ｂに取り付け、そして建物側にも筋違１３をロック金具８ａに取り付けて、１段目の鳥居枠４を自立させることによって、１段目の足場を形成する。その後、１段目の隣接する鳥居枠４の上部の横桟３の間に２段目の足場板となる床付き布枠１１を架け渡した後、既に立設した１段目の鳥居枠４の縦柱２の上に、別途用意した鳥居枠４の縦柱２の下部を載置し、固定ピン（図示せず）で固定することによって、２段目の鳥居枠４を立設する。その後、１段目と同様にして、建物とは反対側に筋違１３をロック金具８ｂに取り付け、そして、建物側にも筋違１３をロック金具８ａに取り付けて、２段目の鳥居枠４を自立させることによって、２段目の足場を形成する。その後、２段目の隣接する鳥居枠４の上部の横桟３の間に３段目の足場板となる床付き布枠１１を架け渡した後、既に立設した２段目の鳥居枠４の縦柱２の上に、別途用意した鳥居枠４の縦柱２の下部を載置し、固定ピン（図示せず）で固定することによって、３段目の鳥居枠４を立設する。その後、２段目と同様にして、建物とは反対側に筋違１３をロック金具８ｂに取り付け、そして、建物側にも筋違１３をロック金具８ａに取り付けて、３段目の鳥居枠４を自立させることによって、３段目の足場を形成する。このようにして、必要な段数になるまで枠組足場を形成する。
【０００８】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【０００９】
図３に、緊結式足場の構造の一例を示す。(a)は緊結式足場の正面図、(b)は(a)において円で示されたコマの周辺の拡大図、そして、(c)は緊結式足場の右側面図である。
【００１０】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介してブレース材１９が取り付けられ、また、建物とは反対側の隣接する支柱１４の間には、コマ２０を介して作業用手摺１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、ブレース材１９は建物とは反対側の支柱１４の間に取り付ける場合もある。
【００１１】
２段目の足場は、１段目の足場と同様にして形成される。必要に応じて、１段目の足場の支柱１４の上端に別途用意した支柱１４を縦方向に継ぎ足した上で、ブレース材１９、手摺部材１５、腕木部材２１をコマ２０を介して取り付け緊結した後、床付き布枠１１を架け渡すことによって、形成される。これを順次繰り返すことによって、複数段の緊結式足場が形成される。
【００１２】
このように、床付き布枠は、建枠式枠組足場と緊結式枠組足場とを問わず、すべての枠組足場に組み込まれており、作業床及び通路として用いられている。
【００１３】
床付き布枠は、長尺の主材の１本又は２本以上と、主材の長手方向の両端に取り付けられる掴み金具と断面コの字形の梁材から構成されている。主材は水平面の床材部とその両縁側面を折り曲げてなる布材部とからなる。長尺の主材の両端部に断面コの字形の梁材が取り付けられ、そして、長尺の主材の両端部の四隅に掴み金具がリベット等で固定されて取り付けられる。なお、床付き布枠上を歩行する際に作業員が滑るのを防止するために、床材部の上面にはエンボス加工が施されることがある。また、床材部が幅方向に撓るのを防止するため、床材部の中央部の下側に桟木が設けられることがある。
【００１４】
上述のとおり、１枚の床付き布枠に組み込まれる主材は、１枚だけでなく、２枚以上の場合もあるが、１枚の床付き布枠に組み込まれる主材が１枚の場合と２枚以上の場合では、次のとおり、断面コの字形の梁材および掴み金具の取り付け方が異なる。
【００１５】
１枚の床付き布枠に組み込まれる主材が１枚の場合には、断面コの字形の梁材は１枚の長尺の主材の両端部にそれぞれ１個嵌合されて取り付けられ、そして、掴み金具は１枚の長尺の主材の両端部の四隅にリベット等で固定されて取り付けられる。
【００１６】
これに対して、１枚の床付き布枠に組み込まれる主材が２枚以上の場合には、複数枚の主材を水平方向に平行に配設した後の複数枚を合わせた長尺の主材の両端部にそれぞれ１個嵌合されて取り付けられる。そして、掴み金具は、複数本の主材を水平方向に平行に配設した後の複数枚を合わせた長尺の主材の両端部の四隅にリベット等で固定されて取り付けられる。
【００１７】
すなわち、梁材の個数は、１枚の床付き布枠に組み込まれる主材が１枚の場合も２枚以上の場合も、１枚の床付き布枠には合計２個が取り付けられることになる。また、掴み金具の個数は、１枚の床付き布枠に組み込まれる主材が１枚の場合も２枚以上の場合も、１枚の床付き布枠には合計４個が取り付けられることになる。
【００１８】
図４は、従来技術に係る床付き布枠の一例であり、(a)は組立図、(b)は完成図を、それぞれ示す。
【００１９】
この床付き布枠には、２枚の主材が組み込まれている。床付き布枠の主材３０は、上面に長尺の床材部３１とその両縁側面に一体化されて形成される長尺の布材部３２ａ、３２ｂからなり、さらに、両縁側面の下面の内側には長尺のリップ３３が長尺の布材部３２ａ、３２ｂと一体化されて設けられている。
【００２０】
このような主材３０の２本が、少し間隔を開けて、水平方向に平行に配設され、２本の主材３０の床材部３１の両端部に断面コの字形の梁材４０が嵌合して取り付けられ、溶接等で接合される。すなわち、断面コの字形の梁材４０は、上側フランジ４１と下側フランジ４２と、両フランジを連結するウエブ４３から構成されており、２本の主材３０の床材部３１の両端部は、上側フランジ４１と下側フランジ４２の間に嵌め込まれることになる。
【００２１】
また、外縁側に位置する２つの布材部３２ａの両端近傍には、掴み金具５０をリベット等で固定するための穴３４が、各々２個穿たれている。そして、外縁側に位置する布材部３２ａの両端部の内側には、断面コの字形の梁材４０の両端部との隙間に、掴み金具５０が挿入され、リベット３５で固定される。
【００２２】
図５は、図４に示す従来技術に係る床付き布枠の端部の拡大図であり、(a)は正面図、(b)は平面図、そして、(c)はＡ−Ａ面における断面図（側面図）を、それぞれ示す。
【００２３】
この床付き布枠の主材は、その剛性を高めるために、床材部３１の中央付近と両縁部近傍に、長尺方向に溝３６が成型され、そして、布材部３２ａ、３２ｂと一体化されて設けられているリップ３３の縁部は内側に屈曲した形に成型され、屈曲部３７を形成している。
【００２４】
上述したとおり、２本の主材は、少し間隔を開けて、水平方向に平行に配設され、その両端部に断面コの字形の梁材４０が嵌合され、そして、主材の床材部３１の上面の端部と梁材の上側フランジ４１の間、及び、主材のリップ３３の下面の端部と梁材の下側フランジ４２の間が、それぞれ、溶接Ｗ１及びＷ２によって接合される。溶接Ｗ１及びＷ２は、線溶接でもよいし、間隔を開けた点溶接でもよい。次いで、外縁側に位置する布材部３２ａの両端部の内側には、断面コの字形の梁材４０の両端部との隙間に掴み金具５０が挿入され、外縁側に位置する布材部３２ａのリベット穴３４と掴み金具のリベット穴５１とが位置合わせされた後、リベット３５で掴み金具５０が固定される。さらに、外縁側に位置する布材部３２ａの端部と掴み金具５０の外側面の間が、溶接Ｗ４によって接合される。溶接Ｗ４は、線溶接でもよいし、間隔を開けた点溶接でもよい。
【００２５】
なお、掴み金具５０はその先端に湾曲部を有しており、足場を構成する建枠の横桟又は腕木材の上にその湾曲部の内側を取り付けることで、床付き布枠を隣接する建枠の横桟又は腕木材の間に取り付けるためのものである。ここでは、掴み金具５０は外れ止め５２を有しており、外れ止め５２を建枠の横桟又は腕木材の下側に突出させることによって掴み金具５０が誤って建枠の横桟又は腕木材から外れないようにすることができる。
【００２６】
次に、このようにして形成された床付き布枠は、前述したとおり、枠組足場の作業床および通路として使用されるのであるが、建枠式足場の場合には隣接する横桟３の間に、そして、緊結式足場の場合には隣接する腕木材２１の間に架け渡される。このとき、枠組足場の作業床および通路の幅、即ち、建枠の横桟の長さ又は腕木材の長さに応じて、床付き布枠を１枚又は２枚以上並べて架け渡すことによって、作業床又は通路が形成される。
【００２７】
なお、床付き布枠の幅は通常、２４０ｍｍ幅と５００ｍｍ幅の２種類が用いられ、それぞれ、小アンチ（小布板ともいう。）及び大アンチ（大布板ともいう。）と呼称される。
【００２８】
図６に、従来技術に係る床付き布枠の２例を示す。(a)が小アンチ２５であり、(b)が大アンチ２６である。いずれも平面図である。(a)の小アンチ２５は２４０ｍｍ幅の主材３０の１枚のみで２４０ｍｍ幅の床付き布枠としたものであり、(b)の大アンチ２６は２４０ｍｍ幅の主材３０を２枚並べて合わせて５００ｍｍ幅の床付き布枠としたものであることが示されている。なお、これらの例では、床付き布枠上を歩行する際に作業員が滑るのを防止するために、床材部３１の上面にはエンボス加工７１が施されている。また、主材３０が幅方向に撓るのを防止するため、主材３０の中央部の下側に桟木７０が設けられている。
【００２９】
そして、建枠の横桟の長さと腕木材の長さは、インチサイズとメーターサイズがあるが、インチサイズを例として挙げると、通常、６１０ｍｍ、９１４ｍｍ及び１２１９ｍｍの３種類のものが揃えられている。
【００３０】
したがって、通常、床付き布枠を枠組足場の作業床および通路として設置する場合、６１０ｍｍ幅を形成するには大アンチ（５００ｍｍ幅）を１枚用いて架け渡すことになり、９１４ｍｍ幅を形成するには大アンチ（５００ｍｍ幅）１枚と小アンチ（２４０ｍｍ幅）１枚を並べて架け渡すことになり、そして、１２１９ｍｍ幅を形成するには大アンチ（５００ｍｍ幅）を２枚並べて架け渡すことになる。
【００３１】
図７に、従来技術に係る床付き布枠１１を隣接する建枠の横桟３の間に架け渡して作業床および通路として設置したときの３例を示す。 (a)が６１０ｍｍ幅の設置例、(b)が９１４ｍｍ幅の設置例、そして、(c)が１２１９ｍｍ幅の設置例である。いずれも、床付き布枠１１を隣接する建枠の横桟３の間に架け渡して設置したときの横桟３の近傍の拡大図（平面図）である。(a)の６１０ｍｍ幅は大アンチ２６（５００ｍｍ幅）１枚から、(b)の９１４ｍｍ幅は大アンチ２６（５００ｍｍ幅）１枚と小アンチ２５（２４０ｍｍ幅）１枚から、そして、(c)の１２１９ｍｍ幅は大アンチ２６（５００ｍｍ幅）２枚から、それぞれ、形成されていることが示されている。なお、これらの例では、床付き布枠上を歩行する際に作業員が滑るのを防止するために、床材部の上面にはエンボス加工７１が施されている。
【００３２】
次に、枠組足場においては、作業員が枠組み足場を組立若しくは解体する作業をするために又は枠組み足場内を移動するために、階段を枠組足場に組み込む必要がある。この場合、上段の足場における床付き布枠の１枚又は２枚を取り外して、上下の足場を構成する建枠の横桟又は腕木材の間に、両端部に掴み金具が取り付けられた階段部材を斜めに架け渡すことによって、枠組足場に階段を組み入れることができる。階段部材を枠組足場に組み込んでなる枠組足場は、たとえば特許文献１に開示されている。
【００３３】
図８に、従来技術に係る枠組足場に階段部材７５を組み込んだときの２例（平面図）を示す。この場合、階段部材は(a)及び(b)に示すとおり、道路側と建物側のいずれにも組み込むことができる。ここでは、作業床および通路の幅は９１４ｍｍ幅であり、したがって、床付き布枠１１は、大アンチ２６（５００ｍｍ幅）と小アンチ２５（２４０ｍｍ幅）の各１枚が水平方向に平行に並べられて、隣接する建枠の横桟３の間に架け渡されている。
【００３４】
しかしながら、床付き布枠の両端部の掴み金具を建枠の横桟又は腕木材に取り付けることによって、隣接する建枠の横桟又は腕木材の間に床付き布枠を架け渡すと、床付き布枠の両縁側及び両端には隙間が生じることになる。このような隙間があると、作業員が枠組み足場を組立若しくは解体する作業中に又は枠組み足場内を移動中に、枠組み足場の隙間から工具や建築資材等を落下させたりするおそれがある。
【００３５】
このため、床付き布枠の両縁側の隙間については、通常、床付き布枠の道路側には、あるいはさらに建物側に、巾木（図示せず）を設置することによって、その隙間を塞ぐことがなされている。
【００３６】
次に、床付き布枠の両端の隙間について説明する。床付き布枠の両端の隙間は、建枠の横桟又は腕木材を介して隣接する床付き布枠の間に形成される。
【００３７】
図９は、隣接する建枠の横桟３に従来技術に係る床付き布枠１１を架け渡す際に床付き布枠の両端に生じる隙間７２を示す一例（平面図）である。ここでは、床付き布枠の梁材４０と横桟３との間に、大きな隙間７２が生じている。したがって、枠組み足場の隙間から工具や建築資材等が落下するおそれがある。
【００３８】
この隙間対策として、床付き布枠の両端の隙間を少なくしたり、なくしたりすることが、考えられる。
【００３９】
床付き布枠の両端の隙間を少なくするためには、床付き布枠の端面を外方向に延長すればよい。床付き布枠自体の長手方向の長さを従来よりも長くするだけでも、床付き布枠の端面を外方向に延長することができる。そのためには、床付き布枠の主材を構成する布材部と床材部の長手方向の長さを従来よりも長くするか、又は布枠の両端部に設けられる梁材の幅を従来よりも広くすればよい。また、建枠の横桟又は腕木材が通常は円管形状であることを考慮すると、床付き布枠の両端部に設けられる梁材の上側フランジのみ又は下側フランジのみを布枠端面の外方向に延長させた形状とするだけでもよい。これらの手法によって床付き布枠自体の長手方向の長さを従来よりも長くする代わりに、梁材の外側に梁材と平行に突出部材を接合することによって、実質的に端面を延長してもよい。特許文献２には、掴み金具は主材の布材部の両端に取り付けられたままであるが、床付き布枠の両端部に設けられる梁材の上側フランジを布枠端面の外方向に延長させた形状とすることによって、この隙間を少なくする手法が開示されている。
【００４０】
図１０は、床付き布枠の端面を外方向に延長することによって、床付き布枠の両端の隙間を少なくした一例（平面図）である。ここでは、図９に示す床付き布枠の両端部に設けられる梁材の幅を従来よりも広くすることによって、床付き布枠の梁材４０と横桟３との間の隙間７２はほとんどなくなっている。
【００４１】
図１１は、床付き布枠の端面をさらに外方向に延長することによって、床付き布枠の両端の隙間を少なくした他の例（平面図）である。これは、特許文献２に示された床付き布枠であって、床付き布枠１１の両端部の梁材４０の上側フランジを布枠端面の外方向に延長する形で突出させて突出部４４が形成され、そして、掴み金具５０は主材の布材部３２ａ、３２ｂの両端に取り付けられている。掴み金具５０は建枠の横桟３又は腕木材２１を確実に掴んでいるので、床付き布枠１１は隣接する建枠の横桟３又は腕木材２１の間に架設することができる。また、床付き布枠の梁材４０と横桟３との間の隙間７２はなくなっている上に、隣接する床付き布枠の梁材の突出部４４の間にわずかに残る隙間７２は横桟３の上にあるので、実際のところ、隙間７２はなくなっていると言ってよい。したがって、枠組み足場の隙間から工具や建築資材等が落下するおそれはない。
【００４２】
これに対して、床付き布枠の両端の隙間をなくすことは、主材の布材部の両端に取り付けられる掴み金具を不要にすることによって、実現することができる。例えば、特許文献３及び４には、床付き布枠の両端部に設けられる梁材の全体を布枠端面の外方向に延長させるとともに外向きに凹凸形状の切欠き部又は凹部を設け、梁材に掴み金具の機能を持たせることによって主材の布材部の両端に取り付けられる掴み金具を不要にするとともに、建枠の横桟又は腕木材を介して隣接する床付き布枠の端部に設けられた梁材に外向きに設けられた凹凸形状の切欠き部又は凹部と互いに嵌合させることで、この隙間をなくす手法が開示されている。
【００４３】
【特許文献１】特開平１１−３６５７２号公報
【特許文献２】特開２００１−３１１３０４号公報
【特許文献３】特開２００５−６８９３４号公報
【特許文献４】特開平９−１３６６０号公報
【発明の開示】
【発明が解決しようとする課題】
【００４４】
上述したように、床付き布枠の両縁側の隙間については、通常、床付き布枠の道路側に、あるいはさらに建物側に、巾木（図示せず）を設置することによって、その隙間を塞ぐことができる。
【００４５】
そして、床付き布枠の両端の隙間については、床付き布枠の両端部の端面を外方向に延長することによって、建枠の横桟又は腕木材との間の隙間を少なくしたり、なくしたりすることが、上記の特許文献２〜４において開示されている。
【００４６】
ところで、階段を枠組足場に組み込む場合には、上段の足場における床付き布枠の１枚又は２枚を取り外して、上下の足場を構成する建枠の横桟又は腕木材の間に、両端部に掴み金具が取り付けられた階段部材を斜めに架け渡すことになる。しかしながら、上記の特許文献２〜４において開示されている、両端部の端面を延長してなる床付き布枠を用いた場合には、階段部材の掴み金具が建枠の横桟又は腕木材を掴むことができないという事態が発生する。
【００４７】
図１２は、図１０に示された床付き布枠を隣接する建枠の横桟の間に架け渡したところに階段部材を設置する２例の部分平面図である。梁材の幅を従来よりも広くすることによって布枠端面間の隙間を少なくしてなる、床付き布枠の大アンチ２６（５００ｍｍ幅）と小アンチ２５（２４０ｍｍ幅）の各１枚が水平方向に平行に並べられて、隣接する建枠の横桟３の間に架け渡されたところに階段部材７５が設置される。ここで、階段部材７５は、(a)の場合には取り付けることができるが、(b)の場合には階段部材７５の掴み金具５０の先端が床付き布枠の幅を拡げられた梁材４０にぶつかるから、階段部材７５を取り付けることができない。すなわち、階段部材を設置しようとしても、階段部材の設置場所は組み立てられた枠組足場の構造によって道路側又は建物側のいずれかに固定されている。したがって、道路側と建物側のうちから自由に設置場所を選択することはできない。
【００４８】
図１３は、図１０に示された床付き布枠を隣接する建枠の横桟の間に架け渡したところに階段部材を設置する他の２例の部分平面図である。梁材の幅を従来よりも広くすることによって布枠端面間の隙間を少なくしてなる、床付き布枠の大アンチ２６（５００ｍｍ幅）の２枚が水平方向に平行に並べられて、隣接する建枠の横桟３の間に架け渡されたところに階段部材７５が設置される。ここで、階段部材７５は、(a)の場合には取り付けることができるが、(b)の場合には階段部材７５の掴み金具５０の先端が床付き布枠の幅を拡げられた梁材４０にぶつかるから、階段部材７５を取り付けることができない。すなわち、階段を道路側又は建物側のいずれにも組み込むことができるが、中央部に組み込むことができない。
【００４９】
これらの階段設置場所の問題は、特許文献２に示された床付き布枠を隣接する建枠の横桟の間に架け渡したところに階段部材を設置する場合にも同様に生じる。階段部材の設置場所は固定されており、自由に選択することはできないからである。
【００５０】
そして、床付き布枠の両端の隙間をなくした場合には、階段部材の掴み金具を取り付けるべき建枠の横桟が完全に隠れてしまうために、掴み金具を用いて階段部材を組み入れることは不可能となる。すなわち、特許文献３及び４に示された、床付き布枠の両端部に設けられる梁材の全体を布枠端面の外方向に延長させるとともに外向きに凹凸形状の切欠き部又は凹部を設けてなる床付き布枠は、そもそも階段部材を取り付けることができない。
【００５１】
次に、枠組足場の作業床および通路の幅については、前述のとおり、建枠の横桟の長さ又は腕木材の長さによって決まり、インチサイズによる場合には、通常、６１０ｍｍ、９１４ｍｍ及び１２１９ｍｍの３種類のものが揃えられており、現場の状況によって、枠組足場の作業床および通路の幅はこれらの３種類のうちの一つが選択されて、枠組足場が組み立てられる。しかしながら、枠組足場の作業床および通路の幅は必ずしも同じ幅が続くというわけではない。たとえば、枠組足場と建物との間が離れている場所では、その間にも床付き布枠を設置して作業をする必要が出てくる。この場合には、建枠の縦柱又は支柱の外側に長さ可変の横材を有するブラケットを取り付けて、建枠の横桟又は腕木材をこの長さ可変の横材によって実質的に建物側に延長し、実質的に建物側に延長された横桟又は腕木材の上に床付き布板を架け渡すことによって、枠組足場の作業床および通路の幅を広げることがなされる。また、枠組足場の途中には通路とは別にステージングと呼ばれる、通路幅よりもかなり幅広の資材置き場を設ける場合もある。いずれの場合も、平行して架け渡される床付き布枠の間に大きな隙間が形成される。
【００５２】
以下に、建枠の縦柱又は支柱の外側に長さ可変の横材を有するブラケットを取り付けて、建枠の横桟又は腕木材をこの長さ可変の横材によって実質的に建物側に延長し、実質的に建物側に延長された横桟又は腕木材の上に床付き布板を架け渡すことによって、枠組足場の作業床および通路の幅を部分的に広げる場合を例にとって、平行して架け渡される床付き布枠の間に隙間が形成される理由を説明する。
【００５３】
図１４は、鳥居枠の縦柱の外側に長さ可変の横材を有するブラケットを取り付けてなる一例である。
【００５４】
ここでは、この鳥居枠４の横桟は９１４ｍｍの長さのものが用いられている。ブラケット１７は三角形状をしており、その１辺は内筒と外筒からなる長さ可変の横材５で構成されており、ここでは横材の最大長さは５００ｍｍである。このブラケット１７は、この長さ可変の横材５が鳥居枠４の横桟３の延長上に位置するように、鳥居枠４の縦柱２の上部に取り付けられ、その後、この長さ可変の横材５を建物２２の壁の近くまで伸ばされ、その長さで固定される。したがって、この長さ可変の横材５には、床付き布枠の掴み金具を取り付けることができるので、鳥居枠４の外側にも床付き布枠を架け渡すことができるようになる。
【００５５】
図１５は、図１４に示す鳥居枠を用いて、枠組足場の作業床および通路の幅を拡げてなる一例である。図１５(a)は長さ可変の横材５により実質的に延長した建枠の横桟の間に床付き布枠を架け渡したときの状況を示す平面図であり、図１５(b)は図１５(a)の円で示した部分の拡大図（平面図）である。
【００５６】
ここでは、枠組足場は、既設の大アンチ２６ａ（５００ｍｍ幅）１枚と小アンチ２５ａ（２４０ｍｍ幅）１枚から形成される本来の７４０ｍｍ幅（＝５００ｍｍ幅＋２４０ｍｍ幅）作業床及び通路の外側に、さらに小アンチ２５ｂ（２４０ｍｍ幅）１枚が新たに平行して架け渡されて、その幅が拡げられている。しかしながら、既設の７４０ｍｍ幅の作業床及び通路と新設の小アンチ２５ｂ（２４０ｍｍ幅）の間には、建枠の縦柱２とブラケットの固定部１８が存在するために、新たに架け渡される小アンチ２５ｂ（２４０ｍｍ幅）との間には、作業員の足が入るほどの大きな隙間が形成される。したがって、作業員が作業中にこの隙間に足を引っかけ、転んでしまうおそれもある。また、この隙間から工具や建築資材等が落下するおそれがある。
【００５７】
本発明は、これらの問題を解決するためになされたものであって、階段部材をどの場所にも組み込むことができ、かつ、枠組足場の作業床及び通路の幅の一部を広げたりステージングを組み込んでも隙間の発生の少ない床付き布枠と、この床付き布枠を組み込んでなる枠組足場を提供することを目的とする。
【課題を解決するための手段】
【００５８】
本発明者らは、上記目的を解決するために、種々の検討を重ねた結果、次の(a)〜(m)の知見を得た。
【００５９】
(a) 床付き布枠の両端の隙間をなくした場合には、階段部材の掴み金具を取り付けるべき建枠の横桟が完全に隠れてしまうために、掴み金具を用いて階段部材を組み入れることは不可能となる。すなわち、特許文献３及び４に示される床付き布枠が取り付けられ固定されてなる建枠の横桟に、掴み金具を介して階段部材を取り付けることはできない。したがって、掴み金具を介して階段部材を枠組足場に組み込む場合には、床付き布枠の両端の隙間をなくすことはできない。
【００６０】
(b) しかしながら、床付き布枠の両端の隙間を完全になくすまでに至らなくても、床付き布枠の両端の隙間を少なくするだけでも、工具や建築資材等が隙間から落下するおそれは小さくなる。そして、その床付き布枠の両端の隙間を少なくするために、床付き布枠の端面を外方向に延長するか、又は、梁材の外側に梁材と平行に突出部材を接合すれば足りる。したがって、このときの問題点は、掴み金具を介して階段部材を枠組足場に組み込む場合に、階段部材の設置場所が、道路側、建物側、あるいは中央部に固定されているので、自由に選択することはできない点である。
【００６１】
(c) 床付き布枠を建枠の横桟又は腕木材の間に架け渡すための掴み金具は、通常、特許文献２に開示されたように、主材の両端部の四隅に固定されている。階段部材を枠組足場に組み込む際には、上段の足場における床付き布枠の１枚又は２枚を取り外して、上下の足場を構成する建枠の横桟又は腕木材の間に、両端部に掴み金具が取り付けられた階段部材を斜めに架け渡すことになる（下端部は掴み金具で建枠の横桟又は腕木材を掴む代わりに、下段の床付き布枠の上に載置又は固定してもよい。以下同じ。）。ここで、階段部材の掴み金具は階段側面の長尺部材に取り付けられるから、階段部材の掴み金具は階段部材の両端部の四隅に固定されることになる。したがって、床付き布枠の掴み金具の位置と階段部材の掴み金具の位置が合致すれば、両者の掴み金具の位置の互換性を確保することができる。
【００６２】
床付き布枠の掴み金具の位置と階段部材の掴み金具の位置の互換性について、５００ｍｍの幅の階段部材を例にとって検討すると、この階段部材の幅は小アンチ（２４０ｍｍ幅）２枚分又は大アンチ（５００ｍｍ幅）１枚分に相当する。
【００６３】
したがって、掴み金具を主材の両端部の四隅に固定してなる小アンチとの掴み金具の位置との互換性は必ず備わっているので、小アンチのみに隣接して５００ｍｍの幅の階段部材を組み入れるときには、小アンチがその両端の隙間を少なくしたものであったとしても、階段部材の掴み金具は建枠の横桟又は腕木材を確実に掴むことができる。
【００６４】
(d) したがって、その両端の隙間を少なくした大アンチに隣接する場合であっても、掴み金具の位置との互換性を必ず確保するためには、階段部材の掴み金具が、既に隣接して設置された大アンチの延長された端面にぶつからないようにすればよい。そのためには、階段部材の掴み金具が建枠の横桟又は腕木材を掴むであろう場所の近傍に、床付き布枠の端面に隙間を作ればよい。
【００６５】
すなわち、梁材の断面形状にかかわらず、梁材の中央部に外向きの切欠き部又は凹部を設ければよい。梁材の外側に梁材と平行に突出部材を接合した場合には、その突出部材の中央部に外向きの切欠き部又は凹部を設ければよい。このようにすれば、階段部材の掴み金具は建枠の横桟又は腕木材を確実に掴むことができる。
【００６６】
(e) 本発明者らは、このような着想の下に、床付き布枠の梁材の中央部に外向きの切欠き部又は凹部を設けてみた。また、梁材自体に外向きの切欠き部又は凹部を設ける代わりに、梁材の外側に梁材と平行に突出部材を接合して、その突出部材の中央部に切欠き部又は凹部を設けてみた。以下は、梁材の上側フランジを梁材の幅方向の外側に延長して突出部４４を形成し、その中央部に外向きの凹部を設けてなる床付き布枠を例にとって、図１６〜図１９を用いて説明する。
【００６７】
図１６は、梁材の中央部に外向きの凹部を設けてなる床付き布枠の一例の端部を示したものであり、(a)は平面図、(b)は(a)のＡ−Ａ矢視方向の拡大側面図（断面図）である。
【００６８】
この床付き布枠は、長尺の主材３０の２枚を水平方向に平行に２枚配設し、床材部３１の端面に上側フランジ４１と下側フランジ４２とウェブ４３から形成される梁材４０が嵌合されて取り付けられたものであり、大アンチ（５００ｍｍ幅）の類である。ただし、梁材４０のうち、水平面の上側フランジ４１は梁材の幅方向の外側に延長し、垂直面のウェブ４３の全部を外側に傾斜させることによって、突出部４４が形成されているので、梁材４０は図１６(b)に見るごとく、断面が倒立台形状を有している。さらに、梁材の上部フランジの突出部４４には、その中央部に凹部４６が設けられている。そして、掴み金具５０は主材の布材部３２ａ、３２ｂの両端に取り付けられている。ここでは、床材部３１の上面にはエンボス加工が施されていて、床付き布枠上を歩行する際に作業員が滑るのを防止しているが、その必要がない場合にはエンボス加工を施さなくてもよい。なお、床材部３１が幅方向に撓るのを防止するため、床材部３１の長手方向の中央部の下側に桟木を設けてもよい。
【００６９】
図１７は、図１６に示される床付き布枠を、隣接する建枠２の横桟３の間に架け渡したときの床付き布枠の端部の状況を示す平面図である。
【００７０】
床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、梁材の上部フランジの突出部４４には、その中央部に凹部４５が設けられているため、その凹部４６の分だけ、隙間は広くなっている。
【００７１】
図１８は、図１６に示される床付き布枠（大アンチ２６）を小アンチ２５と組み合わせて、隣接する建枠の横桟の間に架け渡したところに階段部材を設置する２例の部分平面図である。図１６に示される床付き布枠１１（大アンチ２６）と小アンチ２５（２４０ｍｍ幅）の各１枚が水平方向に平行に並べられて、隣接する建枠の横桟３の間に架け渡されたところに階段部材７５が設置される。(a)の場合はもちろん、(b)の場合であっても階段部材７５を取り付けることが可能であることが分かる。これは、梁材の上部フランジの突出部４４には、その中央部に凹部４６が設けられているため、階段部材の掴み金具５０は隣接する床付き布枠の梁材にぶつかることはないので、(b)の場合であっても階段部材７５を取り付けることができるようになったためである。すなわち、図１６に示す床付き布枠を用いると、階段の設置場所は、道路側又は建物側のいずれかに固定されることはなく、道路側と建物側のうちから自由に設置場所を選択することができる。図１２(b)と比較すれば、その違いがよく分かる。
【００７２】
図１９は、図１６に示される床付き布枠（大アンチ）の２枚を隣接する建枠の横桟の間に架け渡したところに階段部材を設置する２例の部分平面図である。図１６に示される床付き布枠１１（大アンチ２６）の２枚が水平方向に平行に並べられて、隣接する建枠の横桟３の間に架け渡されたところに階段部材７５が設置される。(a)の場合はもちろん、(b)の場合であっても階段部材７５を取り付けることが可能であることが分かる。これは、梁材の上部フランジの突出部４４には、その中央部に凹部４６が設けられているため、階段部材の掴み金具５０は隣接する床付き布枠の梁材にぶつかることはないので、(b)の場合であっても階段部材７５を取り付けることができるようになったためである。すなわち、図１６に示す床付き布枠を用いると、階段の設置場所は、道路側又は建物側だけに固定されることはなく、中央部でもよいから、階段を道路側、中央部、建物側のいずれにも自由に組み込むことができる。図１３(b)と比較すれば、その違いがよく分かる。
【００７３】
以上は、梁材の上側フランジを梁材の幅方向の外側に延長して突出部４４を形成し、その中央部に外向きの凹部を設けてなる床付き布枠で説明したが、梁材の下側フランジを梁材の幅方向の外側に延長して突出部４４を形成し、その中央部に外向きの凹部を設けてなる床付き布枠であっても、階段を道路側、中央部、建物側のいずれにも自由に組み込むことができる。また、梁材の中央部に外向きの凹部を設ける代わりに、外向きの切欠き部を設けてもよい。さらに、梁材自体に外向きの切欠き部又は凹部を設ける代わりに梁材の外側に梁材と平行に突出部材を接合してその突出部材の中央部に切欠き部又は凹部を設けてもよい。
【００７４】
(f) このように、外向きの切欠き部又は凹部を設ける、床付き布枠の梁材の断面形状としては、従来どおりコの字形状であってもよいが、床付き布枠の端面の上面部又は下面部を突出させてなる形状でもよい。その上面部又は下面部を突出させるためには、床付き布枠を構成する主材の長手方向の両端に取り付けられる梁材の形状を工夫すればよい。従来の梁材は、水平面の上側フランジと下側フランジと垂直面のウェブから形成されかつその断面コの字形状であるが、水平面の上側又は下側フランジを布枠端面の外方向に延長する形で突出させることによって形成される倒立ｈ形状であるとすればよい。あるいは、水平面の上側又は下側フランジを布枠端面の外方向に延長しかつ垂直面のウェブの全部又は一部を布枠端面の外方向に傾斜させることによって形成される台形状又は変形台形状としてもよい。
【００７５】
床付き布枠の端面の上面部を突出させてなる梁材の断面形状は、図１６(b)に示した断面形状の外に、たとえば、倒立ｈ形状、倒立台形状、倒立変形台形状等を挙げることができる。
【００７６】
なお、床付き布枠の端面の下面部を突出させてなる梁材の断面形状は、基本的には上記の床付き布枠の端面の上面部を突出させてなる梁材の断面形状の上下を入れ替えた断面形状となる。
【００７７】
(g) 床付き布枠の梁材に切欠き部又は凹部を設ける代わりに、突出部材を梁材の外側に梁材と平行に接合して、ここに外向きの切欠き部又は凹部設ける場合の突出部材の断面の形状としては、コの字形状であってもよいし、平板であってもよい。また、倒立Ｈ形状、倒立Ｌ型形状、倒立山形又は三角形状のものであってもよい。接合は、線溶接や点溶接等で溶接することによって行うことができるし、ボルトナットやリベット等で固定することによって行うこともできる。必要に応じて、リブ等で補強をすることもできる。
【００７８】
突出部材の断面形状は、たとえば、倒立Ｌ形状、三角形状等をあげることができる。
【００７９】
なお、下面部を外方向に突出させてなる突出部材の断面形状は、基本的には上記の上面部を外方向に突出させてなる突出部材の断面形状の上下を入れ替えた断面形状となる。
【００８０】
このように、梁材又は突出部材の中央部に階段部材の掴み金具を受容することができるだけの外向きの切欠き部又は凹部を設けてなる床付き布枠を用いれば、建枠の横桟又は腕木材の間に架け渡したときに床付き布枠の両端の隙間を少なくできるとともに、床付き布枠に隣接して階段部材を組み入れるときに階段部材の掴み金具が建枠の横桟又は腕木材を確実に掴むことができる。したがって、階段をどの場所にも自由に組み込むことが可能となる。
【００８１】
(h) 次に、このように梁材又は突出部材の中央部に外向きの切欠き部又は凹部を設けてなる床付き布枠を用いて、枠組足場の作業床および通路の幅を部分的に広げることができるかどうか、考察してみる。
【００８２】
図２０は、図１４に示す鳥居枠の上に、図１６で示される床付き布枠を架け渡そうとした一例（平面図）である。
【００８３】
ここでは、既設の大アンチ２６ａ（５００ｍｍ幅）１枚と小アンチ２５ａ（２４０ｍｍ幅）１枚から形成される９１４ｍｍ幅の通路（図１５参照）から、既設の小アンチ２５ａ（２４０ｍｍ幅）１枚を外した後、梁材又は突出部材の中央部に外向きに凹部が設けられた床付き布枠（大アンチ２６ｂ：５００ｍｍ幅）を新たに平行に架け渡そうとするものである。しかしながら、長さ可変の横材を有するブラケットが取り付けられている建枠の縦柱とブラケットの固定部の幅は、外向きの切欠き部又は凹部の幅よりも大きいので、外向きの切欠き部又は凹部に受容することは不可能である。したがって、梁材又は突出部材の中央部に外向きに切欠き部又は凹部が設けられた床付き布枠（大アンチ２６ｂ：５００ｍｍ幅）を新たに平行に架け渡すことはできない。
【００８４】
(i) このため、さらに検討した結果、建枠の縦柱とブラケットの固定部を、外向きの切欠き部又は凹部に受容することができるためには、梁材又は突出部材の中央部に設ける外向きの切欠き部又は凹部を幅広にして、建枠の縦柱又は支柱とブラケットの固定部を受容できるようにすればよいことを着想した。
【００８５】
図２１は、このような着想の下に、梁材又は突出部材の中央部に設ける外向きの切欠き部又は凹部を幅広にした床付き布枠の一例（参考例）である。この床付き布枠においては、外向きの切欠き部又は凹部の幅は梁材又は突出部材の長さのほぼ半分である。
【００８６】
図２２は、図１４に示す鳥居枠の上に、既設の大アンチ２６ａの１枚に加えて、新たに図２１で示す床付き布枠（異種の大アンチ２６ｂ）１枚を架け渡した一例（平面図）である。
【００８７】
これは、既設の大アンチ２６ａ（５００ｍｍ幅）１枚と小アンチ２５ａ（２４０ｍｍ幅）１枚から形成される９１４ｍｍ幅の通路（図１５参照）から、既設の小アンチ２５ａ（２４０ｍｍ幅）１枚を外した後、梁材又は突出部材の中央部に外向きに幅広の切欠き部又は凹部が設けられた床付き布枠（大アンチ２６ｂ：５００ｍｍ幅）を新たに平行に架け渡したものである。長さ可変の横材を有するブラケットが取り付けられている建枠の縦柱とブラケットの固定部の幅は、幅広にされた外向きの切欠き部又は凹部の幅よりも小さいので、外向きの幅広の切欠き部又は凹部に受容される。したがって、梁材又は突出部材の中央部に外向きに幅広に凹部が設けられた床付き布枠（大アンチ２６ｂ：５００ｍｍ幅）を平行に架け渡すことができる。ここでは、小アンチ２５ａ（２４０ｍｍ幅）１枚を外した後、建枠の縦柱とブラケットの固定部を幅広の切欠き部又は凹部に受容できるように、外向きに幅広の切欠き部又は凹部が設けられた床付き布枠（大アンチ２６ｂ：５００ｍｍ幅）が新たに架け渡されたので、床付き布枠の間には隙間は生じない。
【００８８】
このように、梁材又は突出部材の中央部に外向きの切欠き部又は凹部が設けられた床付き布枠の切欠き部又は凹部を幅広にすることによって、階段部材の掴み金具だけでなく、建枠の縦柱又は支柱とブラケットの固定部をも受容できるようになる。言い換えれば、切欠き部又は凹部を単に階段部材の掴み金具の受容部だけとして考えるのではなく、建枠の縦柱又は支柱とブラケットの固定部の受容部としても考えるのである。こうすれば、建枠の縦柱又は支柱の建物方向の外側に長さ可変の横材を有するブラケットを取り付けて、建枠の横桟又は腕木材をこの長さ可変の横材によって実質的に建物側に延長し、実質的に建物側に延長された横桟又は腕木材の上に床付き布板を架け渡すことによって、枠組足場の作業床および通路の幅を部分的に広げても、床付き布枠の間には隙間は生じない。
【００８９】
(j) このように床付き布枠の梁材又は突出部材の中央部に設ける切欠き部又は凹部を幅広にすることによって、建枠の縦柱又は支柱とブラケットの固定部を受容できるようになったため、床付き布枠の間には隙間は生じない。しかしながら、この場合、建枠の横桟にブラケットの横材を加えた実質的な横桟の長さ（９１４ｍｍ＋最大５００ｍｍ＝最大１４１４ｍｍ）に比して、床付き布枠の合計幅は１０００ｍｍ（＝５００ｍｍ＋５００ｍｍ）と狭い。したがって、建枠の縦柱又は支柱の建物方向の外側に長さ可変の横材を有するブラケットを取り付けて、建枠の横桟又は腕木材をこの長さ可変の横材によって実質的に建物側に延長し、実質的に建物側に延長された横桟又は腕木材の上に床付き布板を架け渡すことができたものの、この床付き布枠と建物の間は離れたままになっている場合が生じる。また、床付き布枠の掴み金具は、建枠の横桟とブラケットの横材に引っかけてあるだけであるから、横滑りして床付き布枠の間に大きな隙間が形成されるおそれがある。
【００９０】
この場合、上記の２つの床付き布枠（異種の大アンチ２枚）に加えて、さらに、小アンチ２５ｂ（２４０ｍｍ幅）１枚を平行して架け渡して、床付き布枠の合計幅を１２４０ｍｍ（＝５００ｍｍ＋５００ｍｍ＋２４０ｍｍ）とすると、床付き布枠と建物の間は近接するとともに、床付き布枠の掴み金具の横滑り幅が減少するから床付き布枠の間の大きな隙間の形成は防止される。なお、追加する小アンチ２５ｂ（２４０ｍｍ幅）１枚の組み入れ場所としては、上記の２枚の床付き布枠（異種の大アンチ２枚）の左側と中間と右側の３通りのケースがある。
【００９１】
ところが、上記の２枚の床付き布枠（異種の大アンチ２枚）に加えて、さらに、小アンチ２５ｂ（２４０ｍｍ幅）１枚を追加して架け渡すことで、床付き布枠の合計幅を１２４０ｍｍ（＝５００ｍｍ＋５００ｍｍ＋２４０ｍｍ）にしようとすると、梁材又は突出部材の中央部に設ける切欠き部又は凹部を幅広にした床付き布枠では、小アンチ２５ｂ（２４０ｍｍ幅）１枚を追加して平行に架け渡そうとしても小アンチ２５ｂ（２４０ｍｍ幅）１枚を組み入れることができないケースが生じる。このことを、以下に図面を用いて説明する。
【００９２】
図２３は、図２２に示す２つの床付き布枠（異種の大アンチ２枚）に加えて、さらに、小アンチ２５ｂ（２４０ｍｍ幅）１枚を平行に追加して架け渡そうとした場合の枠組足場の平面図である。図２３(a)は異種の大アンチ２枚の左側に組み入れた場合、図２３(b)は異種の大アンチ２枚の間に組み入れた場合、そして、図２３(c)は異種の大アンチ２枚の右側に組み入れた場合を示す。
【００９３】
図２３(a)〜(c)の３つのケースのいずれも、長さ可変の横材を有するブラケットが取り付けられている建枠の縦柱とブラケットの固定部は、外向きの幅広の切欠き部又は凹部に受容されることはできない。
【００９４】
このように、梁材又は突出部材の中央部に設ける切欠き部又は凹部を幅広にした床付き布枠を用いた場合には、図２２で示される異種の大アンチ２枚が架け渡された枠組足場に小アンチ２５ｂ（２４０ｍｍ幅）１枚を組み入れることができないケースが生じる。
【００９５】
この解決策としては、外向きの幅広の切欠き部又は凹部の幅をさらに拡げることが考えられるが、梁材又は突出部材の剛性を確保する観点からは、むやみに切欠き部又は凹部の幅を拡げることはできない。また、外向きの幅広の切欠き部又は凹部の幅をさらに拡げることによって、小アンチ２５ｂ（２４０ｍｍ幅）１枚を組み入れることができたとしても、３つのケースのうちのすべてに組み入れることができるとは限らない。枠組足場の現場においては、指示された位置に指示された種類の床付き布枠（この場合は、小アンチ２５（２４０ｍｍ幅））を現場の作業員が機械的に組み込むことができることが求められる。組み入れることができないケースが一つでも出てくるのは問題が大きい。
【００９６】
(k) このため、本発明者等はさらに検討を重ねた結果、異種の大アンチ２枚が架け渡された枠組足場に小アンチ２５ｂ（２４０ｍｍ幅）１枚を追加して平行に架け渡す場合に、上記の２枚の床付き布枠（大アンチ２枚）の左側と中間と右側の３通りのケースのいずれにおいても組み込むことを可能とするためには、大アンチのうちの外向きの幅広の切欠き部又は凹部を中央部に有する１枚（図２１参照）を、外向きの幅広の切欠き部又は凹部の中央位置と梁材又は突出部材の中央位置とを異ならせたものに置き換えればよいことを見出した。
【００９７】
そして、外向きの切欠き部又は凹部は、隣接する床付き布枠の掴み金具と階段部材の掴み金具と建枠の縦柱とブラケットの固定部を受容することができればよい。なお、階段部材を設置した場合に、平行する床付き布枠から作業員が階段に転落することを防止するために階段開口手摺りを設置することが多いが、このとき、階段部材の掴み金具に加えて階段開口手摺りの掴み金具を建枠の横桟又は腕木材に架け渡すことがあるので、このときは階段開口手摺りの掴み金具を受容できるようにする必要がある。これらの観点から、外向きの切欠き部又は凹部の位置と幅と個数を適宜決定すればよい。
【００９８】
梁材又は突出部材の中央位置には隣接する床付き布枠の掴み金具と階段部材の掴み金具を受容することが多いことを考慮すると、梁材又は突出部材の中央位置には隣接する床付き布枠の掴み金具と階段部材の掴み金具を受容することができるように、床付き布枠の両端部に形成される外向きの幅広の切欠き部又は凹部の一部が設けられていることが好ましい。言い換えれば、外向きの幅広の切欠き部又は凹部は、梁材又は突出部材の中央位置を含むように、梁材又は突出部材の長さ方向のいずれかに偏って形成されるのが好ましい。そして、階段部材の掴み金具を外向きの幅広の切欠き部又は凹部に余裕を持って受容できるとの観点からは、梁材又は突出部材の中央位置と外向きの幅広の切欠き部又は凹部の端部の間が４０〜５０ｍｍとなるように設定するのが好ましく、４５ｍｍ程度がより好ましい。また、隣接する床付き布枠の掴み金具を外向きの幅広の切欠き部又は凹部に余裕を持って受容できるとの観点からは、梁材又は突出部材の中央位置と外向きの幅広の切欠き部又は凹部の端部の間が１０ｍｍ以上となるように設定するのが好ましい。
【００９９】
なお、外向きの幅広の切欠き部又は凹部の個数は、梁材又は突出部材当たり１個が好ましい。また、床付き布枠の両端部に形成される外向きの幅広の切欠き部又は凹部の中央位置を偏らせる方向としては、左右どちらでもよいが、両端部とも同じ方向に偏らせるのが好ましい。両端部とも同じ方向に偏っていると、床付き布枠を水平面で１８０°回転させるだけで、床付き布枠の設置の方向は自由に選択できるからである。
【０１００】
図２４は、このような着想の下に、床付き布枠の両端部に設けられた梁材又は突出部材の外向きの切欠き部又は凹部を幅広にした上で、切欠き部又は凹部の中央位置と突出部材の中央位置とを異ならせた床付き布枠の一例（本発明例）である。
【０１０１】
この床付き布枠においては、外向きの切欠き部又は凹部の幅は梁材又は突出部材の長さのほぼ半分である。ここで、床付き布枠の両端部に形成される外向きの幅広の切欠き部又は凹部の中央位置は、同じ方向に偏っている。
【０１０２】
図２５は、図２４に示される本発明例に係る床付き布枠（大アンチ２６）を小アンチ２５と組み合わせて、隣接する建枠の横桟３の間に架け渡したところに階段部材を設置する２例の全体平面図を示す。また、図２６は図２５(a)の長円で示される部分の拡大平面図を示す。
【０１０３】
この床付き布枠（大アンチ２６）においては、その切欠き部又は凹部の中央位置の近傍に、左方から順に、階段部材７５の掴み金具５０、階段開口手摺７６の掴み金具５０、そして、隣接する小アンチ２５の掴み金具５０を受容する必要があるが、その梁材又は突出部材の中央位置と外向きの幅広の切欠き部又は凹部の端部の間が４０〜５０ｍｍとなるように設けたので、いずれの掴み金具も余裕を持って受容することができる。ここで、(b)の場合の床付き布枠（大アンチ２６）は、(a)の場合の床付き布枠（大アンチ２６）を水平面で１８０゜回転させて設置したものであって、いずれも図２４に示される床付き布枠（大アンチ２６）である。
【０１０４】
このように、(a)の場合はもちろん、(b)の場合であっても階段部材７５を取り付けることが可能であることが分かる。すなわち、図２４に示す床付き布枠を用いると、階段の設置場所は、道路側又は建物側のいずれかに固定されることはなく、道路側と建物側のうちから自由に設置場所を選択することができる。
【０１０５】
図２７は、本発明の他の例に係る床付き布枠（大アンチ２６）を小アンチと組み合わせて、隣接する建枠の横桟３の間に架け渡した１例である。図２７(a)が全体平面図を、そして、図２７(b)は図２７(a)の長円で示される部分の拡大平面図を示す。
【０１０６】
この床付き布枠（大アンチ２６）においては、その梁材又は突出部材の中央位置と外向きの幅広の切欠き部又は凹部の端部の間が１０ｍｍ以上となるように設けられている。その切欠き部又は凹部の中央位置の近傍には、隣接する床付き布枠（大アンチ２６）の掴み金具５０と小アンチ２５の掴み金具５０を受容するだけであるから、その梁材又は突出部材の中央位置と外向きの幅広の切欠き部又は凹部の端部の間は、図２５〜図２６に示されるほどには大きく設定する必要はなく、１０ｍｍ以上となるように設ければよい。ただし、４０〜５０ｍｍとなるように設けても構わない。
【０１０７】
図２８は、図１４に示す鳥居枠の上に、既設の大アンチ２６ａの１枚に加えて、新たに図２４で示す床付き布枠（異種の大アンチ２６ｂ）１枚を架け渡した一例である。図２８(a)が全体の平面図を、そして、図２８(b)が図２８(a)の長円で示される部分の拡大平面図を示す。
【０１０８】
これは、既設の大アンチ２６ａ（５００ｍｍ幅）１枚と小アンチ２５ａ（２４０ｍｍ幅）１枚から形成される９１４ｍｍ幅の通路（図１５参照）から、既設の小アンチ２５ａ（２４０ｍｍ幅）１枚を外した後、図２４で示される切欠き部又は凹部の中央位置と突出部材の中央位置とを異ならせた床付き布枠床付き布枠（大アンチ２６ｂ：５００ｍｍ幅）を新たに平行に架け渡したものである。
【０１０９】
この床付き布枠（大アンチ２６）においては、その切欠き部又は凹部の中央位置の近傍に、長さ可変の横材を有するブラケットが取り付けられている建枠の縦柱２とブラケットの固定部１８が位置しているが、その梁材又は突出部材の中央位置と外向きの幅広の切欠き部又は凹部の端部の間が４０〜５０ｍｍとなるように設けたので、建枠の縦柱２とブラケットの固定部１８を外向きの幅広の切欠き部又は凹部に余裕を持って受容することができる。長さ可変の横材を有するブラケットが取り付けられている建枠の縦柱とブラケットの固定部の幅は、切欠き部又は凹部の中央位置と突出部材の中央位置とを異ならせた床付き布枠の幅広の外向きの切欠き部又は凹部の幅よりも小さいので、外向きの幅広の切欠き部又は凹部に受容される。そして、小アンチ２５ｂ（２４０ｍｍ幅）１枚を外した後、外向きに幅広の切欠き部又は凹部が設けられた床付き布枠（大アンチ２６ｂ：５００ｍｍ幅）が架け渡されたので、床付き布枠の間には隙間は生じない。
【０１１０】
(l) 次に、図２８で示される、上記の２枚の床付き布枠（異種の大アンチ２枚）に加えて、さらに、小アンチ２５ｂ（２４０ｍｍ幅）１枚を追加して架け渡すことで、床付き布枠の合計幅を１２４０ｍｍ（＝５００ｍｍ＋５００ｍｍ＋２４０ｍｍ）にすることができるかどうか検証してみた。
【０１１１】
図２９は、図２８に示す２つの床付き布枠（異種の大アンチ２枚）に加えて、さらに、小アンチ２５ｂ（２４０ｍｍ幅）１枚を平行に追加して架け渡そうとした場合の枠組足場の平面図である。図２９(a)は異種の大アンチ２枚の左側に組み入れた場合、図２９(b)は異種の大アンチ２枚の間に組み入れた場合、そして、図２９(c)は異種の大アンチ２枚の右側に組み入れた場合を示す。ここで、図２９(c)の異種の大アンチ２枚の右側に小アンチ２５ｂ（２４０ｍｍ幅）１枚を組み入れる場合には、異種の大アンチ２枚のうちの一枚（図２４で示されるもの）は水平面で１８０゜回転させて設置される。
【０１１２】
図２９(a)〜(c)の３つのケースのいずれも、長さ可変の横材を有するブラケットが取り付けられている建枠の縦柱とブラケットの固定部は、外向きの幅広の切欠き部又は凹部に受容される。すなわち、床付き布枠の梁材又は突出部材のおいて、幅広の切欠き部又は凹部の位置をずらすだけで、建枠の縦柱とブラケットの固定部を受容することができる。
【０１１３】
したがって、図２８に示される異種の大アンチ２枚が架け渡された枠組足場に、３つのケースのいずれも、小アンチ２５ｂ（２４０ｍｍ幅）１枚を組み入れることができることが分かった。
【０１１４】
すなわち、梁材又は突出部材の中央部に外向きに幅広の切欠き部又は凹部が設けられた床付き布枠(図２１参照)に代えて、外向きに幅広の切欠き部又は凹部が形成され、かつ、その切欠き部又は凹部の中央位置と梁材又は突出部材の中央位置を異ならせてなる床付き布枠(図２４参照)を用いることによって、さらに小アンチ２５ｂ（２４０ｍｍ幅）１枚を組み入れることができる。
【０１１５】
このように、梁材又は突出部材に外向きの幅広の切欠き部又は凹部を設け、かつ、その切欠き部又は凹部の中央位置と梁材の中央位置とが異ならせしめることによって、隣接する床付き布枠の掴み金具と階段部材の掴み金具と建枠の縦柱又は支柱とブラケットの固定部をその切欠き部又は凹部に受容できるようになるので、さらに小アンチ２５ｂ（２４０ｍｍ幅）１枚を組み入れることができる。その結果、建枠の縦柱又は支柱の建物方向の外側に長さ可変の横材を有するブラケットを取り付けて、建枠の横桟又は腕木材をこの長さ可変の横材によって実質的に建物側に延長し、実質的に建物側に延長された横桟又は腕木材の上に床付き布板を架け渡すことによって、枠組足場の作業床および通路の幅を部分的に広げても、床付き布枠の間には隙間は生じない。また、床付き布枠に隣接して階段部材を組み入れるときに階段部材の掴み金具が建枠の横桟又は腕木材を確実に掴むことができるので、階段をどの場所にも自由に組み込むことが可能となる。
【０１１６】
なお、以上は２枚の大アンチが架け渡された枠組足場に１枚の小アンチを組み入れる場合で説明したが、その他の場合、たとえば、１枚の大アンチと１枚の小アンチが架け渡された枠組足場に１枚の小アンチを組み入れる（あるいは、２枚の異種の大アンチに置き換える）場合においても同様の結果となる。
【０１１７】
また、枠組足場にステージングを組み込む場合にも、梁材又は突出部材に外向きの幅広の切欠き部又は凹部を設け、かつ、その切欠き部又は凹部の中央位置と梁材の中央位置とが異ならせしめることによって、建枠の縦柱又は支柱の２個分をその切欠き部又は凹部に受容できるようになるので、床付き布枠の間に隙間の発生しない枠組足場にすることが可能となる。
【０１１８】
図３０は、枠組足場にステージングを組み込んでなる一例である。(a)が正面図、(b)が平面図である。なお、(a)の正面図においては、床付き布枠は図示していない。
【０１１９】
このステージングは、鳥居枠４の２個を上下２個のつなぎ金具９で縦方向に結んでなる２個の鳥居枠の２組を、床付き布枠の縦方向の長さ分だけ離間して立設し、その鳥居枠の間に床付き布枠を５個平行に架け渡して形成したものである。中央に位置する床付き布枠の梁材の上側フランジ４１には、外向きの幅広の切欠き部又は凹部が設けられ、かつ、その切欠き部又は凹部の中央位置と梁材の中央位置とが異なっている。図示されるように、外向きの幅広の切欠き部又は凹部は鳥居枠４の縦桟３の２本分を余裕を持って受容することができる。したがって、床付き布枠の間に隙間の発生しない枠組足場にすることが可能となる。
【０１２０】
なお、床付き布枠の梁材の上側フランジ４１に設けられた外向きの幅広の切欠き部又は凹部は開閉蓋８０を有していて、ここでは、開閉蓋８０は開けられた状態である。この床付き布枠を枠組足場の通常の作業床及び通路に用いるときは、開閉蓋８０を閉じることによって、その切欠き部又は凹部において、横桟との間の隙間を少なくすることができる。開閉蓋８０については、後述する。
【０１２１】
また、この床付き布枠は、作業員が床付き布枠上を歩行する際に作業員が滑るのを防止するために、床材部の上面だけでなく、梁材の上側フランジ４１の上面にも、エンボス加工が施されている。
【０１２２】
以上のとおりであるから、この本発明にかかる床付き布枠は、梁材又は突出部材に外向きの幅広の切欠き部又は凹部を設け、かつ、その切欠き部又は凹部の中央位置と梁材の中央位置とが異ならせしめたことにより、階段部材をどの場所にも組み込むことができ、かつ、枠組足場の作業床及び通路の幅の一部を広げたりステージングを組み込んでも隙間の発生の少ない床付き布枠と、この床付き布枠を組み込んでなる枠組足場を提供することを可能とする。
【０１２３】
(m) なお、このような梁材又は突出部材に外向きの幅広の切欠き部又は凹部を設けてなる床付き布枠を用いると、平行して架け渡される床付き布枠の間には隙間は生じないようにすることができるものの、その切欠き部又は凹部において、横桟との間の隙間は広くなっている。切欠き部又は凹部下部には横桟が通っているため、この切欠き部又は凹部の隙間から大型の工具や建築資材等が落下するおそれは小さいものの、ボルト、ナット等の小物が落下するおそれは否めない。また、作業員が作業中又は通行中にこの隙間に足を引っかけるおそれがある。
【０１２４】
その切欠き部又は凹部において、隣接する梁材の間の隙間を狭くするためには、その切欠き部又は凹部に開閉可能な蓋を設け、建枠の縦柱又は支柱とブラケットの固定部や階段部材の掴み金具を受容する必要があるときに蓋を開け、そして、受容しないときには蓋をすればよい。したがって、この床付き布枠を枠組足場の通常の作業床及び通路に用いるときは、開閉蓋８０を閉じることによって、その切欠き部又は凹部において、横桟との間の隙間を少なくすることができる。
【０１２５】
その切欠き部又は凹部の上面を覆う蓋は、床付き布枠から独立した部材とすることが考えられるが、この場合は紛失等のおそれがあるとともに、作業性に劣る。床付き布枠に付属した部材とすると、紛失等のおそれはなくなり、作業性にも優れたものとなる。
【０１２６】
切欠き部又は凹部の上面に設ける開閉蓋は、回転により開閉可能に設置すればよく、蓋を閉じたときには、風力等で自然には上方にも下方にも開かない構造にするのが好ましい。このような構造としては、開閉蓋自体を重くするか若しくは重りを付けることで足りる。ただし、蓋を閉じたときに風力等で自然には上方にも下方にも確実に開かない構造にするために、開閉蓋に回転防止用のストッパー等を設置する方法、コイルバネ、引きバネ、押しバネ等のバネを設置してバネの付勢力を利用して開閉蓋を水平に保持する方法、くさび効果のある凸部や突起によって開閉蓋を水平に保持する方法、くさび効果のある長孔によって開閉蓋を水平に保持する方法、くびれを有する長孔によって開閉蓋を水平に保持する方法、凸部又は突起を長孔と嵌合させることによって開閉蓋を水平に保持する方法などを採用するのが好ましい。
【０１２７】
階段部材の掴み金具を切欠き部又は凹部に受容する必要があるときに、蓋を下方に回転させて開閉蓋を開ける代わりに、水平方向に移動させて、開閉蓋を開けるようにしてもよい。この場合には、開閉蓋に格別、上方又は下方へ開かない構造としなくても、風力等で自然に上方にも下方にも開くことはない。
【０１２８】
そして、切欠き部又は凹部の上面に設ける開閉蓋は、蓋を開閉する必要があるときに、人為的な力をかけることではじめて蓋が下方又は水平方向に開く構造とするのが好ましい。この人為的な力としては、まずは、その都度、作業員により手動で蓋を開くことが考えられる。また、掴み金具を切欠き部又は凹部に受容する際には、掴み金具を下方に動かすという動作をすることになるから、その掴み金具の下方への動きに追随して開閉蓋が下方又は水平方向に動くことで、切欠き部又は凹部を開けるようにしてもよい。
【０１２９】
掴み金具の下方への動きに追随して開閉蓋が下方に動くようにするためには、開閉蓋をしならせることができるゴム材で構成すれば足りるし、あるいは板バネを介して蓋を保持してもよい。また、コイルバネ、引きバネ、押しバネ等のバネの付勢力に逆らう形で、回転軸を中心として蓋を下方に回転させてもよい。
【０１３０】
掴み金具の下方への動きに追随して、水平方向に移動可能な開閉蓋が水平方向に動くようにするためには、その掴み金具が下方に動く際に開閉蓋の縁の側部に掴み金具の先端が当たるようにすればよい。掴み金具が下方に動く際に、開閉蓋の縁部には掴み金具の先端から水平方向の力が働くから、開閉蓋全体が水平方向に動くことになる。
【０１３１】
床付き布枠には、作業中にその上面にコンクリートやペンキ等が付着することがあり、枠組足場を解体後に、「ケレン機」という機械を用いて床付き布枠に付着したコンクリートやペンキ等を除去する作業をすることがある。「ケレン機」は、鉄製のリング等を多数備えており、このリングを床付き布枠の上面に叩き付けることで付着物が除去できるものであるが、薄い鉄板を曲げるほどの衝撃が床付き布枠の上面に加わる。したがって、床付き布枠を構成する梁材の上面にもこのような衝撃が加わることになるから、開閉蓋はその衝撃に耐えうる構造とするのが好ましい。
【０１３２】
本発明は、このような知見に基づいて完成したものであって、次の(1)〜(8)の床付き布枠及び(9)〜(10)の枠組足場を要旨とする。以下、(1)〜(10)を総称して、本発明ということもある。
【０１３３】
(1) 長尺の主材又は水平方向に平行に配設された複数枚の長尺の主材と、主材の両端部に取り付けられる２個の梁材と、主材の両端部の四隅に固定される４個の掴み金具からなる床付き布枠であって、両方の梁材には外向きに幅広の切欠き部又は凹部が形成され、かつ、その切欠き部又は凹部の中央位置と梁材の中央位置とが異なることを特徴とする床付き布枠。
【０１３４】
(2) 長尺の主材又は水平方向に平行に配設された複数枚の長尺の主材と、主材の両端部に取り付けられる２個の梁材と、両方の梁材の外側に平行に接合された２個の突出部材と、主材の両端部の四隅に固定される４個の掴み金具からなる床付き布枠であって、両方の突出部材には外向きに幅広の切欠き部又は凹部が形成され、かつ、その切欠き部又は凹部の中央位置と突出部材の中央位置とが異なることを特徴とする床付き布枠。
【０１３５】
(3) 長尺の主材又は水平方向に平行に配設された複数枚の長尺の主材と、主材の両端部に取り付けられる２個の梁材と、一方の梁材の外側に平行に接合された１個の突出部材と、主材の両端部の四隅に固定される４個の掴み金具からなる床付き布枠であって、他方の梁材には外向きに幅広の切欠き部又は凹部が形成され、かつ、その切欠き部又は凹部の中央位置と梁材の中央位置とが異なるものであるとともに、突出部材には外向きに幅広の切欠き部又は凹部が形成され、かつ、その切欠き部又は凹部の中央位置と突出部材の中央位置とが異なることを特徴とする床付き布枠。
【０１３６】
(4) 梁材又は突出部材の中央位置には床付き布枠の両端部に形成される外向きの幅広の切欠き部又は凹部の一部が設けられていることを特徴とする、上記(1)〜(3)のいずれかの床付き布枠。
【０１３７】
(5) 床付き布枠の両端部に形成される外向きの幅広の切欠き部又は凹部の中央位置が同じ方向に偏っていることを特徴とする、上記(1)〜(4)のいずれかの床付き布枠。
【０１３８】
(6) 切欠き部又は凹部には開閉可能な蓋が設けられていることを特徴とする、上記(1)〜(5)のいずれかの床付き布枠。
【０１３９】
(7) 上記(1)〜(6)のいずれかの床付き布枠が組み込まれていることを特徴とする枠組足場。
【０１４０】
(8) 上記(7)の枠組足場であって、さらに階段部材が組み込まれていることを特徴とする枠組足場。
【０１４１】
(9) 上記(7)又は(8)の枠組足場であって、枠組足場を構成する建枠の縦柱又は支柱の一部に、長さ可変の横材を有するブラケットが取り付けられていることを特徴とする枠組足場。
【０１４２】
(10) 上記(7)〜(9)のいずれかの枠組足場であって、ステージングが組み込まれていることを特徴とする枠組足場。
【発明の効果】
【０１４３】
本発明によれば、階段部材をどの場所にも組み込むことができ、かつ、枠組足場の作業床及び通路の幅の一部を広げたりステージングを組み込んでも隙間の発生の少ない床付き布枠と、この床付き布枠を組み込んでなる枠組足場を提供することができる。
【発明を実施するための最良の形態】
【０１４４】
本発明に係る床付き布枠及びこの床付き布枠を組み込んでなる枠組足場を、以下に、図面を用いて説明する。
【０１４５】
なお、前述したとおり、梁材又は突出部材に設ける外向きの切欠き部と凹部は、いずれも同等の効果がある。また、本発明においては、その外向きの切欠き部又は凹部の上には開閉可能な蓋を設置してもよいが、この開閉可能な蓋は、梁材に外向きの切欠き部又は凹部を設けてなる床付き布枠と、突出部材に外向きの切欠き部又は凹部を設けてなる床付き布枠とを問わず、設置することが可能であり、いずれにも同等の効果がある。
【０１４６】
したがって、以下の実施例では、主として、「梁材に外向きの凹部を設けてなる床付き布枠」を例に挙げるが、「梁材に外向きの切欠き部を設けてなる床付き布枠」並びに「突出部材に外向きの凹部を設けてなる床付き布枠」及び「突出部材に外向きの切欠き部を設けてなる床付き布枠」もまた、「梁材に外向きの凹部を設けてなる床付き布枠」と同等の効果があることは明らかである。なお、本発明は次の実施例に限定されるものではない。
【実施例１】
【０１４７】
図３１は、本発明に係る床付き布枠の一例の端部を示したものであり、(a)は平面図、(b)は(a)のＡ−Ａ矢視方向の拡大側面図（断面図）である。
【０１４８】
この床付き布枠は、長尺の主材３０の２枚を水平方向に平行に２枚配設し、床材部３１の端面に上側フランジ４１と下側フランジ４２とウェブ４３から形成される梁材が嵌合されて取り付けられたものであり、大アンチ（５００ｍｍ幅）の類である。ただし、梁材のうち、水平面の上側フランジ４１は、梁材の幅方向の外側に延長する形で突出させることによって、梁材４０は図３１(b)に見るごとく、断面が倒立ｈ形状を有している。さらに、梁材の上部フランジの突出部４４には外向きに幅広の切欠き部４５が設けられている。そして、掴み金具５０は主材の布材部３２ａ、３２ｂの両端に取り付けられている。ここでは、床材部３１の上面にはエンボス加工が施されていて、床付き布枠上を歩行する際に作業員が滑るのを防止しているが、その必要がない場合にはエンボス加工を施さなくてもよい。なお、床材部３１が幅方向に撓るのを防止するため、床材部３１の長手方向の中央部の下側に桟木を設けてもよい。
【０１４９】
この床付き布枠は、梁材に外向きの幅広の切欠き部を設け、かつ、その切欠き部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例２】
【０１５０】
図３２は、本発明に係る床付き布枠の他の例の端部を示したものであり、(a)は平面図、(b)は(a)のＡ−Ａ矢視方向の拡大側面図（断面図）である。
【０１５１】
この床付き布枠は、長尺の主材３０の２枚を水平方向に平行に２枚配設し、床材部３１の端面に上側フランジ４１と下側フランジ４２とウェブ４３から形成される梁材が嵌合されて取り付けられたものであり、大アンチ（５００ｍｍ幅）の類である。ただし、梁材のうち、水平面の上側フランジ４１は梁材の幅方向の外側に延長し、垂直面のウェブ４３の全部を外側に傾斜させることによって、突出部４４が形成されているので、梁材４０は図３２(b)に見るごとく、断面が倒立台形状を有している。さらに、梁材の上部フランジの突出部４４には外向きに幅広の凹部４６が設けられている。そして、掴み金具５０は主材の布材部３２ａ、３２ｂの両端に取り付けられている。
【０１５２】
この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例３】
【０１５３】
図３３は、本発明に係る床付き布枠の他の例の端部を示したものであり、(a)は平面図、(b)は(a)のＡ−Ａ矢視方向の拡大側面図（断面図）である。
【０１５４】
この床付き布枠は、図３２の変形例である。長尺の主材３０の２枚を水平方向に平行に２枚配設し、床材部３１の端面に上側フランジ４１と下側フランジ４２とウェブ４３から形成される梁材が嵌合されて取り付けられたものであり、大アンチ（５００ｍｍ幅）の類である点と、掴み金具５０は主材の布材部３２ａ、３２ｂの両端に取り付けられている点は、図３２と同じである。梁材のうち、水平面の上側フランジ４１は梁材の幅方向の外側に延長する形で突出させて突出部４４を形成しているまでは同じであるが、垂直面のウェブ４３の一部を外側に傾斜させている点が異なり、したがって、その梁材は図３３(b)に見るごとく、断面が倒立変形台形状を有している。さらに、梁材の上部フランジの突出部４４には外向きに幅広の凹部４６を設けている点は同じであるが、その凹部４６は開口部が広がっている点で異なっている。
【０１５５】
この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例４】
【０１５６】
図３４は、本発明に係る床付き布枠の他の例の端部を示したものであり、(a)は平面図、(b)は(a)のＡ−Ａ矢視方向の拡大側面図（断面図）である。
【０１５７】
この床付き布枠は、大アンチ（５００ｍｍ幅）の類であり、長尺の主材３０の２枚を水平方向に平行に２枚配設し、床材部３１の端面に上側フランジ４１と下側フランジ４２とウェブ４３から形成される断面コの字形状の梁材が嵌合されて取り付けられた上に、さらに梁材の幅方向の外側に梁材と平行に、断面が倒立Ｌ形状の突出部材６０を線溶接Ｗ３により接合したものである。そして、突出部材６０には外向きに幅広の切欠き部６１が設けられている。そして、掴み金具５０は主材の布材部３２ａ、３２ｂの両端に取り付けられている。なお、ここでは、突出部材６０は梁材の外側に線溶接によって接合されているが、溶接に代えて、ボルトナットやリベット等で接合してもよい。
【０１５８】
この床付き布枠は、突出部材に外向きの幅広の切欠き部を設け、かつ、その切欠き部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例５】
【０１５９】
図３５は、本発明に係る床付き布枠の他の例の端部を示したものであり、(a)は平面図、(b)は(a)のＡ−Ａ矢視方向の拡大側面図（断面図）である。
【０１６０】
この床付き布枠は、図３４の変形例である。長尺の主材３０の２枚を水平方向に平行に２枚配設し、床材部３１の端面に上側フランジ４１と下側フランジ４２とウェブ４３から形成される断面コの字形状の梁材が嵌合されて取り付けられた上に、さらに梁材の幅方向の外側に梁材と平行に、断面が倒立Ｌ形状の突出部材６０を２個線溶接Ｗ３により接合したものであり、大アンチ（５００ｍｍ幅）の類である点と、掴み金具５０は主材の布材部３２ａ、３２ｂの両端に取り付けられている点は、図３４と同じである。異なる点は、梁材の外側に梁材と平行に接合する断面が倒立Ｌ形状の突出部材６０を２部材に分割し、２部材の間の間隔をあけることで、実質的に切り欠き部６１を形成する点である。なお、ここでは、突出部材６０は梁材の外側に線溶接によって接合されているが、溶接に代えて、ボルトナットやリベット等で接合してもよい。
【０１６１】
この床付き布枠は、梁材に突出部材を２個形成することによって、外向きの幅広の切欠き部を形成し、かつ、その切欠き部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例６】
【０１６２】
図３６は、本発明に係る床付き布枠の他の例の端部を示したものであり、(a)は平面図、(b)は(a)のＡ−Ａ矢視方向の拡大側面図（断面図）である。
【０１６３】
この床付き布枠は、大アンチ（５００ｍｍ幅）の類であり、長尺の主材３０の２枚を水平方向に平行に２枚配設し、床材部３１の端面に上側フランジ４１と下側フランジ４２とウェブ４３から形成される断面コの字形状の梁材が嵌合されて取り付けられた上に、さらに梁材の幅方向の外側に梁材と平行に、断面が三角形状の突出部材６０を線溶接Ｗ３により接合したものである。そして、突出部材６０には外向きに幅広の凹部６２が設けられている。そして、掴み金具５０は主材の布材部３２ａ、３２ｂの両端に取り付けられている。なお、ここでは、突出部材６０は梁材の外側に線溶接によって接合されているが、溶接に代えて、ボルトナットやリベット等で接合してもよい。
【０１６４】
この床付き布枠は、突出部材に外向きの幅広のは凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
桟３の間に架け渡されたときに、階段をどの場所にも組み込むことができる。
【実施例７】
【０１６５】
図３７は、本発明に係る床付き布枠の他の例の端部を示したものであり、(a)は平面図、(b)は(a)のＡ−Ａ矢視方向の拡大側面図（断面図）である。
【０１６６】
この床付き布枠は、図３６の変形例である。長尺の主材３０の２枚を水平方向に平行に２枚配設し、床材部３１の端面に上側フランジ４１と下側フランジ４２とウェブ４３から形成される断面コの字形状の梁材が嵌合されて取り付けられた上に、さらに梁材の幅方向の外側に梁材と平行に、突出部材６０を線溶接Ｗ３により接合し、突出部材６０には外向きに幅広の凹部６２が設けられたものであり、大アンチ（５００ｍｍ幅）の類である点と、掴み金具５０は主材の布材部３２ａ、３２ｂの両端に取り付けられている点は、図３６と同じである。異なる点は、突出部材として山形鋼を倒立させて用いている点である。ただし、山形鋼を用いても突出部材の断面は図３７(b)に見るごとく、三角形状となっている。なお、ここでは、突出部材６０は梁材の外側に線溶接によって接合されているが、溶接に代えて、ボルトナットやリベット等で接合してもよい。
【０１６７】
この床付き布枠は、突出部材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例８】
【０１６８】
図３８は、本発明に係る床付き布枠の他の例の端部を示したものであり、(a)は平面図、(b６１)は(a)のＡ−Ａ矢視方向の拡大側面図（断面図）である。
【０１６９】
この床付き布枠は、大アンチ（５００ｍｍ幅）の類である。長尺の主材３０の２枚を水平方向に平行に２枚配設し、床材部３１の端面に、水平面の上側フランジ４１と水平面の下側フランジ４２と垂直面のウェブ４３から形成される梁材が嵌合されて取り付けられたものであり、梁材の断面はコの字形状である。ただし、端面を通常の床付き布枠よりも延長されており、床付き布枠の端面と建枠の横桟又は腕木材との間の隙間は少なくなっている。さらに、梁材には外向きに幅広の凹部４６が設けられている。そして、掴み金具５０は主材の布材部３２ａ、３２ｂの両端に取り付けられている。
【０１７０】
この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例９】
【０１７１】
図３９は、本発明に係る床付き布枠の他の例の端部を示したものであり、(a)は平面図、(b)は(a)のＡ−Ａ矢視方向の拡大側面図（断面図）である。
【０１７２】
この床付き布枠は、大アンチ（５００ｍｍ幅）の類であり、長尺の主材３０の２枚を水平方向に平行に２枚配設し、床材部３１の端面に上側フランジ４１と下側フランジ４２とウェブ４３から形成される断面コの字形状の梁材が嵌合されて取り付けられた上に、さらに梁材の幅方向の外側に平板の突出部材６０を線溶接Ｗ３により２個間隔を開けて、それぞれ接合し、かつリブ６３により補強したものである。突出部材６０を２個の間隔を開けることで、実質的に切欠き部６１を形成したものである。そして、掴み金具５０は主材の布材部３２ａ、３２ｂの両端に取り付けられている。
【０１７３】
この床付き布枠は、梁材に突出部材を２個形成することによって、外向きの幅広の切欠き部を形成し、かつ、その切欠き部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。
【実施例１０】
【０１７４】
図４０は、本発明に係る床付き布枠の一例を示したものである。(a)は床付き布枠の全体平面図、(b)は(a)の梁材の端面の楕円Ａの部分平面図であり、(c)は(b)のＢ−Ｂ矢視断面図、(d)は(b)のＣ−Ｃ矢視断面図、(e)は(b)のＤ部分の拡大図を、それぞれ示す。なお、(f)は(e)のうち、特にコイルバネのみを取り出して示したものである。
【０１７５】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。そして、外向きの凹部４６の上を水平に塞ぐことができる開閉蓋８０が、上側フランジ４１の上面レベルよりも下方に水平に設けられたコイルバネ８３を介して取り付けられている。なお、凹部４６の内周面には、凹部４６を形成したために低下した強度を補強するために、断面コの字形の補強部材４７が接合されている。また、開閉蓋８０には剛性をもたせるために、端部８５が設けられている。さらに、コイルバネ８３の一端を取り付けるためのコイルバネ取付孔８４が補強部材４７に、そして、コイルバネ８３の他端を取り付けるためのコイルバネ取付孔８４が開閉蓋の端部８５に、それぞれ設けられている。
【０１７６】
この開閉蓋８０は上方への回転防止用のストッパー（図示せず）のために上方には開かない構造になっている。そして、蓋を閉じたときには、このコイルバネ８３の左回りの付勢力によって、その凹部の上面レベルに水平に蓋が保持されており、風力では下方に回転することはない。そして、この開閉蓋８０は、階段部材の掴み金具を凹部に受容する必要があるときに、人為的な力をかけることで、コイルバネ８３の付勢力に逆らって、はじめてコイルバネ８３の回転軸８１を中心として右回りに下方に回転して、蓋が開くという構造となっている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１７７】
開閉蓋８０を開けるための人為的な力としては、作業員による手動の力の外に、階段部材の掴み金具を凹部に受容させるときの掴み金具の下方への動きの力を利用することができる。
【０１７８】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、コイルバネ８３は開閉蓋８０の上面にはないため、コイルバネ８３を傷めることもない。
【０１７９】
図４１は、図４０に示した本発明に係る床付き布枠について、作業員による手動により、開閉蓋８０を開ける作業の手順を示したものである。
【０１８０】
図４１(a)は床付き布枠の掴み金具（図示せず）を建枠の横桟３に引っかけることによって、床付き布枠を枠組足場内に設置した状態であり、ここでは、開閉蓋８０はこのコイルバネ８３の付勢力によって、その凹部の上面レベルに水平に蓋が閉じた状態で保持されている。また、開閉蓋８０は開閉蓋の端部８５の右下方において建枠の横桟３の左上方に接しているので、この開閉蓋８０の上を作業員が通行してもその開閉蓋の沈み込みは防止されている。次に、図４１(b)は作業員が手動によって、蓋が閉じた状態の床付き布枠の端部を上方に持ち上げて、手動で開閉蓋８０を回転軸８１を中心として右回りに下方に回転させ蓋を開けたまま、床付き布枠の端部を下方に降ろすことによって、蓋が開いた状態で下方に落とし込んだ状態を示す。ここでは、開閉蓋８０はこのコイルバネ８３の付勢力によって建枠の横桟３の左側方で接した状態で保持されている。そして、図４１(c)はこの床付き布枠を枠組足場内に設置した状態で、右上方から階段部材の掴み金具５０を降ろして建枠の横桟３に引っかけた状態を示している。蓋が開いた状態の開閉蓋８０は階段部材の掴み金具５０の下方への動きに追随して、回転軸８１を中心としてさらに右回りに左方に回転するので、階段部材の掴み金具５０を容易に床付き布枠の梁材の突出部の凹部４６に受容することができる。
【０１８１】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１１】
【０１８２】
図４２は、図４１に示した床付き布枠の変形例であり、開閉蓋８０の形状を変形してなる床付き布枠を用いて、開閉蓋８０を開ける作業の手順を示したものである。
【０１８３】
開閉蓋８０が建枠の横桟３の上方に接しないように、開閉蓋８０の右側部分を少しカットした床付き布枠を用いて、階段部材の掴み金具５０の下方への動きに追随するだけで、開閉蓋８０を開けることができる作業を示したものである。
【０１８４】
図４２(a)は床付き布枠の掴み金具（図示せず）を建枠の横桟３に引っかけることによって、床付き布枠を枠組足場内に設置した状態であり、ここでは、開閉蓋はこのコイルバネ８３の付勢力によって、その凹部の上面レベルに水平に蓋が閉じた状態で保持されている。そして、図４２(b)はこの床付き布枠を枠組足場内に設置した状態で、右上方から階段部材の掴み金具５０を降ろして建枠の横桟３に引っかけた状態を示している。右上方から階段部材の掴み金具５０を降ろすとき、閉じていた開閉蓋８０が階段部材の掴み金具５０の下方への動きに追随して、回転軸８１を中心として右回りに下方に回転するので、階段部材の掴み金具５０を容易に床付き布枠の梁材の突出部の凹部４６に受容することができる。ここでは、作業員による手動により開閉蓋８０を開ける作業は不要となる。
【０１８５】
なお、図４１に示す開閉蓋８０では、図４１(b)の工程において、作業員が手動によって、蓋が閉じた状態の床付き布枠の端部を上方に持ち上げて、手動で開閉蓋８０を右回りに下方に回転させ蓋を開けたまま、床付き布枠の端部を下方に降ろすことによって、蓋が開いた状態で下方に落とし込んでいた。これに対して、図４２に示す開閉蓋８０では、その形状の違いから、作業員が手動によって床付き布枠の端部を下方に降ろすという工程が不要となったことが分かる。
【０１８６】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１２】
【０１８７】
図４３は、本発明に係る床付き布枠の他の例を示したものである。(a)は床付き布枠の梁材の端面の部分平面図であり、(b)はその正面図、(c)は(a)のＥ−Ｅ矢視断面図（背景は図示せず）、(d)は(a)のＦ−Ｆ矢視断面図（背景は図示せず）を、それぞれ示す。
【０１８８】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０１８９】
外向きの凹部４６の上には、凹部４６の上の全体を水平に塞ぐことができる開閉蓋８０が設置されているが、開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０１９０】
この開閉蓋８０は、閉めた状態のときには、引きバネ８７の付勢力によって、梁材の凹部の上面レベルに水平に蓋が保持されている。そして、この開閉蓋８０は、階段部材の掴み金具を凹部に受容する必要があるときに、引きバネ８７を作業員の手作業によって上方に伸ばすとともに開閉蓋８０を長孔８８に沿って上方に一旦引き上げた後、開閉蓋８０を回転軸８１の回りに右に回転することによって開閉蓋８０を開ける構造となっている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１９１】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９及び引きバネ８７は、開閉蓋８０の上面にはないため、リベット８９及び引きバネ８７を傷めることもない。
【０１９２】
図４４及び図４５は、図４３に示した本発明に係る床付き布枠について、作業員による手動により、開閉蓋８０を開ける作業の手順を示したものである。図４４が図４３(a)のＥ−Ｅ矢視断面図（背景は図示せず）、そして図４５が図４３(a)のＦ−Ｆ矢視断面図（背景は図示せず）を、それぞれ示す。
【０１９３】
図４４(a)及び図４５(a)は、床付き布枠の掴み金具（図示せず）を建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、引きバネ８７の付勢力のために、梁材の凹部の上面レベルに水平に保持されている。この開閉蓋８０は作業員による人為的な力を加えなければ水平に保持されているので、開閉蓋８０の上を作業員が通行しても移動することはない。なお、図示したように、開閉蓋８０は作業員の手作業によって上方に移動可能である。
【０１９４】
次に、図４４(b)及び図４５(b)は、作業員の手作業によって引きバネ８７の付勢力に反して、開閉蓋８０を長孔８８に沿って上方に一旦引き上げた後、回転軸８１の回りに右へ回転する途中の状態を示している。
【０１９５】
そして、図４４(c)及び図４５(c)は、開閉蓋８０が引きバネ８７の付勢力によって回転軸８１の回りに右へ回転した後の状態を示している。
【０１９６】
この結果、開閉蓋８０が開かれているので、階段部材の掴み金具を梁材の凹部に受容することが可能となる。
【０１９７】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１３】
【０１９８】
図４６は、本発明に係る床付き布枠の他の例を示したものである。(a)は床付き布枠の梁材の端面の部分平面図であり、(b)はその正面図、(c)は(a)のＥ−Ｅ矢視断面図（背景は図示せず）、(d)は(a)のＦ−Ｆ矢視断面図（背景は図示せず）を、それぞれ示す。
【０１９９】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。そして、凹部４６の内周面には、凹部４６を形成したために低下した強度を補強するために、断面コの字形の補強部材４７が接合されている。
【０２００】
外向きの凹部４６の上には、凹部４６の上の全体を水平に塞ぐことができる開閉蓋８０が設置されているが、開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０２０１】
この開閉蓋８０は、開閉蓋８０の上面を作業員がハンマーで叩くか又は力を入れて動かすことで、凸部９０を梁材の上面より下方に押し込み、クサビ効果を効かすことができる。したがって、開閉蓋８０を閉めた状態のときには、凸部９０のクサビ効果によって、開閉蓋８０が梁材の凹部の上面レベルに水平に固定されている。そして、この開閉蓋８０は、階段部材の掴み金具を凹部に受容する必要があるときに、開閉蓋８０の下面を作業員がハンマーで叩くか又は力を入れて動かすことで、凸部９０を梁材の上面よりも上方に押し出し、凸部９０のクサビ効果を外すことができる。そして、作業員の手作業によって開閉蓋８０を長孔８８に沿って上方に一旦引き上げた後、開閉蓋８０を回転軸８１の回りに右に回転することによって開閉蓋８０を開ける構造となっている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０２０２】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９は、開閉蓋８０の上面にはないため、リベット８９を傷めることもない。
【０２０３】
図４７及び図４８は、図４６に示した本発明に係る床付き布枠について、作業員による手動により、開閉蓋８０を開ける作業の手順を示したものである。図４７は図４６(a)のＥ−Ｅ矢視断面図（背景は図示せず）、そして、図４８が図４６(a)のＦ−Ｆ矢視断面図（背景は図示せず）を示す。
【０２０４】
図４７(a)及び図４８(a)は、開閉蓋８０の上面を作業員がハンマーで叩くか又は力を入れて動かすことで、凸部９０を梁材の上面より下方に押し込まれた状態にあるので、凸部９０のクサビ効果によって、開閉蓋８０が梁材の凹部の上面レベルに水平に固定されている。そして、床付き布枠の掴み金具（図示せず）を、建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されている。この開閉蓋８０は作業員による人為的な力を加えなければ水平に固定されているので、開閉蓋８０の上を作業員が通行しても移動することはない。なお、図示したように、開閉蓋８０は凸部９０のクサビ効果を外すことによって上方に移動可能である。
【０２０５】
次に、図４７(b)及び図４８(b)は、開閉蓋８０の下面を作業員がハンマーで叩くか又は力を入れて動かすことで、凸部９０を梁材の上面よりも上方に押し出すことによって、クサビ効果を外し、そして、作業員が手作業により開閉蓋８０を長孔８８に沿って上方に一旦引き上げた後、開閉蓋８０を回転軸８１の回りに右に回転する途中の状態を示している。
【０２０６】
そして、図４７(c)及び図４８(c)は、作業員が手作業により、開閉蓋８０を回転軸８１の回りに右へ回転した後の状態を示している。
【０２０７】
この結果、開閉蓋８０が開かれているので、階段部材の掴み金具を梁材の凹部に受容することが可能となる。
【０２０８】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１４】
【０２０９】
図４９は、本発明に係る床付き布枠の他の例を示したものである。(a)は床付き布枠の梁材の端面の部分平面図であり、(b)はその正面図、(c)は(a)のＥ−Ｅ矢視断面図（背景は図示せず）、(d)は(a)のＦ−Ｆ矢視断面図（背景は図示せず）を、それぞれ示す。
【０２１０】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。そして、凹部４６の内周面には、凹部４６を形成したために低下した強度を補強するために、断面コの字形の補強部材４７が接合されている。
【０２１１】
外向きの凹部４６の上には、凹部４６の上の全体を水平に塞ぐことができる開閉蓋８０が設置されているが、開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０２１２】
この開閉蓋８０は、開閉蓋８０の上面を作業員がハンマーで叩くか又は力を入れて動かすことで、突起９１を梁材の上面より下方に押し込み、クサビ効果を効かすことができる。したがって、開閉蓋８０を閉めた状態のときには、突起９１のクサビ効果によって、開閉蓋８０が梁材の凹部の上面レベルに水平に固定されている。そして、この開閉蓋８０は、階段部材の掴み金具を凹部に受容する必要があるときに、開閉蓋８０の下面を作業員がハンマーで叩くか又は力を入れて動かすことで、突起９１を梁材の上面よりも上方に押し出し、突起９１のクサビ効果を外すことができる。そして、作業員の手作業によって開閉蓋８０を長孔８８に沿って上方に一旦引き上げた後、開閉蓋８０を回転軸８１の回りに右に回転することによって開閉蓋８０を開ける構造となっている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０２１３】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９は、開閉蓋８０の上面にはないため、リベット８９を傷めることもない。
【０２１４】
図５０及び図５１は、図４９に示した本発明に係る床付き布枠について、作業員による手動により、開閉蓋８０を開ける作業の手順を示したものである。図５０は図４９(a)のＥ−Ｅ矢視断面図（背景は図示せず）、そして、図５１が図４９(a)のＦ−Ｆ矢視断面図（背景は図示せず）を示す。
【０２１５】
図５０(a)及び図５１(a)は、開閉蓋８０の上面を作業員がハンマーで叩くか又は力を入れて動かすことで、突起９１を梁材の上面より下方に押し込まれた状態にあるので、突起９１のクサビ効果によって、開閉蓋８０が梁材の凹部の上面レベルに水平に固定されている。そして、床付き布枠の掴み金具（図示せず）を、建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されている。この開閉蓋８０は作業員による人為的な力を加えなければ水平に固定されているので、開閉蓋８０の上を作業員が通行しても移動することはない。なお、図示したように、開閉蓋８０は突起９１のクサビ効果を外すことによって上方に移動可能である。
【０２１６】
次に、図５０図(b)及び図５１(b)は、開閉蓋８０の下面を作業員がハンマーで叩くか又は力を入れて動かすことで、突起９１を梁材の上面よりも上方に押し出すことによって、クサビ効果を外し、そして、作業員が手作業により開閉蓋８０を長孔８８に沿って上方に一旦引き上げた後、開閉蓋８０を回転軸８１の回りに右に回転する途中の状態を示している。
【０２１７】
そして、図５０図(c)及び図５１(c)は、作業員が手作業により、開閉蓋８０を回転軸８１の回りに右へ回転した後の状態を示している。
【０２１８】
この結果、開閉蓋８０が開かれているので、階段部材の掴み金具を梁材の凹部に受容することが可能となる。
【０２１９】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１５】
【０２２０】
図５２は、本発明に係る床付き布枠の他の例を示したものである。(a)は床付き布枠の梁材の端面の部分平面図であり、(b)はその正面図、(c)は(a)のＡ−Ａ矢視断面図（背景は図示せず）、(d)は(a)のＢ−Ｂ矢視断面図（背景は図示せず）、(e)は(a)のＣ−Ｃ矢視断面図、(f)は(e)のＤ−Ｄ矢視断面図（拡大図）、(g)は(e)のＥ−Ｅ矢視断面図（拡大図）を、それぞれ示す。
【０２２１】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。この梁材の突出部の凹部４６の内周面には、凹部４６を形成したために低下した強度を補強するために、断面コの字形の補強部材４７が接合されている。
【０２２２】
そして、外向きの凹部４６の上には、凹部４６の上の全体を水平に塞ぐことができる開閉蓋８０が設置されている。開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０２２３】
また、突出部の凹部４６の内周面に接合された断面コの字形の補強部材４７の両端部には凸部（突起）４９が形成されていて、開閉蓋８０を閉めた状態のときには、開閉蓋８０の端部８５に設けられた長孔８８に嵌合しているので、風力などでは凸部（突起）４９が端部８５に設けられた長孔８８から外れることはなく、開閉蓋８０は梁材の外向きの凹部４６の上面レベルに水平に保持されている。
【０２２４】
そして、この開閉蓋８０は、階段部材の掴み金具を凹部４６に受容する必要があるときに、断面コの字形の補強部材４７の両端部に形成された凸部（突起）４９を、作業員の手作業によって開閉蓋８０の端部８５に設けられた長孔８８から外すともに開閉蓋８０を回転軸８１の回りに左へ回転した後、長孔８８に沿って下方に移動させることで、開閉蓋８０を開ける構造となっている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０２２５】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９は、開閉蓋８０の上面にはないため、リベット８９を傷めることもない。
【０２２６】
図５３及び図５４は、図５２に示した本発明に係る床付き布枠について、作業員による手動により、開閉蓋８０を開ける作業の手順を示したものである。図５３が図５２(a)のＡ−Ａ矢視断面図（背景は図示せず）、そして、図５４が図５２(a)のＢ−Ｂ矢視断面図（背景は図示せず）を、それぞれ示す。
【０２２７】
図５３(a)及び図５４(a)は、床付き布枠の掴み金具（図示せず）を建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、断面コの字形の補強部材４７の両端部に形成された凸部（突起）４９が開閉蓋８０の端部８５に設けられた長孔８８に嵌合しているために、梁材の凹部の上面レベルに水平に保持されている。この開閉蓋８０は作業員による人為的な力を加えなければ水平に保持されているので、開閉蓋８０の上を作業員が通行しても移動することはない。なお、図示したように、開閉蓋８０は作業員の手作業によって嵌合を外せば、左回りに回転可能である。
【０２２８】
次に、図５３(b)及び図５４(b)は、作業員の手作業によって、凸部（突起）４９と長孔８８の嵌合を外すともに開閉蓋８０を回転軸８１の回りに左へ回転した後、長孔８８に沿って下方に移動する途中の状態を示している。
【０２２９】
そして、図５３(c)及び図５４(c)は、開閉蓋８０が長孔８８に沿って下方に移動した後の状態を示している。
【０２３０】
この結果、開閉蓋８０が開かれているので、階段部材の掴み金具を梁材の凹部に受容することが可能となる。
【０２３１】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１６】
【０２３２】
図５５は、本発明に係る床付き布枠の他の例を示したものである。(a)は床付き布枠の梁材の端面の部分平面図であり、(b)は(a)のＫ−Ｋ矢視断面図を示す。
【０２３３】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２３４】
外向きの凹部４６の上には、凹部４６の上の全体を水平に塞ぐことができる開閉蓋８０が設置されているが、開閉蓋８０には剛性をもたせるために、端部８５が設けられている。補強部材４７の左右の両端と開閉蓋の左右の端部８５を連結するために、長尺のボルト９６とナット９７が設けられ、開閉蓋８０が長尺のボルト９６の中心に位置する回転軸８１の回りに下方に回転できるように取り付けられている。ただし、長尺のボルト９６には開閉蓋８０の下方への回転防止用ストッパー９２と押しバネ９４が、開閉蓋の左右の端部８５の間に取り付けられており、開閉蓋８０を閉めた状態のときには、押しバネ９４の付勢力により下方への回転防止用ストッパー９２は左側の端部８５に押しつけられているため、開閉蓋８０は回転軸８１の回りに下方への回転が防止され、梁材の凹部の上面レベルに水平に蓋が保持されている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０２３５】
この開閉蓋８０には切り込み９３が２箇所に設けられており、その切り込みの間隔は開閉蓋８０の下方への回転防止用ストッパー９２の長さに等しい。そして、階段部材の掴み金具を凹部に受容する必要があるときに、作業員が押しバネ９４の付勢力に抗して下方への回転防止用ストッパー９２を右方に移動させた後、下方への回転防止用ストッパー９２を切り込み９３に合わせて、ストッパー９２を外すことによって、開閉蓋８０を回転軸８１の回りに下方に回転することによって開閉蓋８０を開ける構造となっている。
【０２３６】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、長尺のボルト９６とナット９７、そして、開閉蓋８０の下方への回転防止用ストッパー９２と押しバネ９４は開閉蓋８０の上面にはないため、長尺のボルト９６とナット９７、そして、開閉蓋８０の下方への回転防止用ストッパー９２と押しバネ９４を傷めることもない。
【０２３７】
図５６は、図５５に示した本発明に係る床付き布枠について、作業員による手動により、開閉蓋８０を開けた後の状態を示したものである。(a)は床付き布枠の梁材の端面の中央部の部分平面図であり、(b)は(a)のＫ−Ｋ矢視断面図を示す。
【０２３８】
上述したとおり、この開閉蓋８０には切り込み９３が２箇所に設けられており、その切り込みの間隔は開閉蓋８０の下方への回転防止用ストッパー９２の長さに等しいため、階段部材の掴み金具を凹部に受容する必要があるときに、作業員が押しバネ９４の付勢力に抗して下方への回転防止用ストッパー９２を右方に移動させた後、下方への回転防止用ストッパー９２を切り込み９３に合わせて、ストッパー９２を外すことによって、開閉蓋８０を回転軸８１の回りに下方に回転することによって開閉蓋８０を開ける構造となっている。
【０２３９】
したがって、下方への回転防止用ストッパー９２が設置されているため、階段部材の掴み金具を梁材の凹部に受容するときのみ、開閉蓋８０を開くようにすることができる。
【０２４０】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１７】
【０２４１】
図５７は、本発明に係る床付き布枠の他の例を示したものである。いずれも床付き布枠の梁材の端面の断面図であり、(a)は開閉蓋８０を閉めた状態のときを示し、そして、(b)は階段部材の掴み金具５０を建枠の横桟３に引っかけた状態を示している（背景は図示せず）。
【０２４２】
図５７(a)に示すように、床付き布枠の梁材は、突出部（図示せず）を有する上側フランジ４１と、下側フランジ４２と、上部を外側に傾斜させてなるウェブ（図示せず）からなり、断面は倒立台形状となっている。梁材には外向きに凹部（図示せず）が設けられている。そして、外向きの凹部の上を水平に塞ぐことができる開閉蓋８０が、梁材の上側フランジの延長部材４８に設けられたボルト９６及びナット９７並びに梁材の上側フランジの延長部材４８と開閉蓋８０の下部に接合された板バネ９５を介して、上側フランジ４１と同一レベルに取り付けられている。なお、凹部の内周面には断面コの字形の補強部材４７が接合されている。また、開閉蓋８０には剛性をもたせるために、縁部８６が設けられている。
【０２４３】
この開閉蓋８０は、開閉蓋８０を閉めた状態のときには、板バネ９５の付勢力によって、開閉蓋８０の重力に抗して、上側フランジ４１と同一レベルに水平に蓋が保持されている。なお、開閉蓋８０は風力で上方又は下方に煽られたとしても、板バネ９５の付勢力によって、上側フランジ４１と同一レベルに戻って、水平に蓋が保持される。そして、この開閉蓋８０は、階段部材の掴み金具を凹部に受容する必要があるときに、人為的な力をかけることで、板バネ９５の付勢力に逆らって、はじめて板バネ９５の回転軸８１を中心として右回りに下方に回転して、蓋が開くという構造となっている。
【０２４４】
開閉蓋８０を開けるための人為的な力としては、作業員による手動の力の外に、階段部材の掴み金具を凹部に受容させるときの掴み金具の下方への動きの力を利用することができる。
【０２４５】
なお、ここでは、開閉蓋８０の回転軸８１は板バネ９５にあるため、作業中にコンクリートやペンキ等が付着しても、回転するのに支障はないため、蓋を開けることができる。また、枠組足場を解体後に、「ケレン機」という機械を用いて床付き布枠の上面に付着したコンクリートやペンキ等を除去する作業をしても、板バネ９５は開閉蓋８０の下面にあるため、板バネ９５を傷めることもない。
【０２４６】
図５７(b)は、この床付き布枠を枠組足場内に設置した状態で、上方から階段部材の掴み金具５０を降ろして建枠の横桟３に引っかけた状態を示している。上方から階段部材の掴み金具５０を降ろすとき、閉じていた開閉蓋８０が階段部材の掴み金具５０の下方への動きに追随して、回転軸８１を中心として右回りに下方に回転するので、階段部材の掴み金具５０を容易に床付き布枠の梁材の突出部の凹部に受容することができる。ここでは、作業員による手動により、開閉蓋８０を開ける作業は不要となる。
【０２４７】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１８】
【０２４８】
図５８は、本発明に係る床付き布枠の他の例を示したものである。いずれも床付き布枠の梁材の端面の断面図であり、(a)は開閉蓋８０を閉めた状態のときを示し、そして、(b)は階段部材の掴み金具５０を建枠の横桟３に引っかけた状態を示している（背景は図示せず）。
【０２４９】
図５８(a)に示すように、床付き布枠の梁材は、突出部（図示せず）を有する上側フランジ４１と、下側フランジ４２と、上部を外側に傾斜させてなるウェブ（図示せず）からなり、断面は倒立台形状となっている。梁材には外向きに凹部（図示せず）が設けられている。そして、外向きの凹部の上を水平に塞ぐことができるゴム材９８からなる開閉蓋８０が、梁材の上側フランジの延長部材４８に設けられたボルト９６及びナット９７を介して、上側フランジ４１と同一レベルに取り付けられている。なお、凹部の内周面には断面コの字形の補強部材４７が接合されている。また、ゴム材９８からなる開閉蓋８０には剛性をもたせるために、縁部８６が設けられている。
【０２５０】
このゴム材９８からなる開閉蓋８０の上面は、開閉蓋８０を閉めた状態のときには、ゴム材９８の付勢力によって、ゴム材９８からなる開閉蓋８０の重力に抗して、上側フランジ４１と同一レベルに水平に蓋が保持されている。なお、開閉蓋８０は風力で上方又は下方に煽られたとしても、ゴム材９８の付勢力によって、上側フランジ４１と同一レベルに戻って、水平に蓋が保持される。そして、このゴム材９８からなる開閉蓋８０は、階段部材の掴み金具を凹部に受容する必要があるときに、人為的な力をかけることで、ゴム材９８の付勢力に逆らって、はじめてゴム材９８からなる開閉蓋８０の回転軸８１を中心として右回りに下方に回転して、蓋が開くという構造となっている。
【０２５１】
ゴム材９８からなる開閉蓋８０を開けるための人為的な力としては、作業員による手動の力の外に、階段部材の掴み金具を凹部に受容させるときの掴み金具の下方への動きの力を利用することができる。
【０２５２】
なお、ここでは、ゴム材９８からなる開閉蓋８０の回転軸８１はゴム材９８にあるため、作業中にコンクリートやペンキ等が付着しても、回転するのに支障はないため、蓋を開けることができる。また、枠組足場を解体後に、「ケレン機」という機械を用いて床付き布枠の上面に付着したコンクリートやペンキ等を除去する作業をしても、ゴム材９８を傷めることもない。
【０２５３】
図５８(b)は、この床付き布枠を枠組足場内に設置した状態で、上方から階段部材の掴み金具５０を降ろして建枠の横桟３に引っかけた状態を示している。上方から階段部材の掴み金具５０を降ろすとき、閉じていたゴム材９８からなる開閉蓋８０が階段部材の掴み金具５０の下方への動きに追随して、回転軸８１を中心として右回りに下方に回転するので、階段部材の掴み金具５０を容易に床付き布枠の梁材の突出部の凹部に受容することができる。ここでは、作業員による手動により、ゴム材９８からなる開閉蓋８０を開ける作業は不要となる。
【０２５４】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例１９】
【０２５５】
図５９は、本発明に係る床付き布枠の他の例を示したものである。(a)は床付き布枠の梁材の端面の部分平面図であり、(b)はその正面図、(c)は(a)のＩ−Ｉ矢視断面図を、それぞれ示す。
【０２５６】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２５７】
外向きの凹部４６の上には、凹部４６の上の全体を水平に塞ぐことができる開閉蓋８０が設置されているが、開閉蓋８０には剛性をもたせるために、縁部８６が設けられている。また、開閉蓋８０には端部８５が設けられており、補強部材４７の端部には水平方向に長孔８８が設けられている。そして、この補強部材４７の端部に設けられた長孔８８を介して、リベット８９が開閉蓋８０の端部８５に取り付けられていて、リベット８９はこの長孔８８の中を移動自在であるから、開閉蓋８０は長孔８８に沿って左右に移動できる。
【０２５８】
この開閉蓋８０は、開閉蓋８０を閉めた状態のときには、梁材の凹部の上面の最右方に水平状態に蓋が保持されている。そして、この開閉蓋８０は、階段部材の掴み金具を凹部に受容する必要があるときに、人為的な力をかけることで、開閉蓋８０を長孔８８に沿って左方に移動させ、開閉蓋８０を開ける構造となっている。このように、開閉蓋８０は左右の水平方向のみに移動できる構造となっているから、梁材の凹部の上に設置された開閉蓋８０は風にあおられても、開閉蓋８０が不意に持ち上がることはない。
【０２５９】
開閉蓋８０を開けるための人為的な力としては、作業員による手動の力の外に、階段部材の掴み金具を凹部に受容させるときの掴み金具の下方への動きの力を利用することができる。
【０２６０】
図６０は、図５９に示した本発明に係る床付き布枠について、人為的な力をかけて、開閉蓋８０を開ける作業の手順を示したものである。図５９(a)のＩ−Ｉ矢視断面図を示す。
【０２６１】
図６０(a)は、床付き布枠の掴み金具（図示せず）を建枠の横桟３に引っかけることによって、床付き布枠を枠組足場内に設置した状態である。ここでは、この開閉蓋８０は、梁材の凹部の上面の最右方に水平に蓋が保持されているので、開閉蓋８０は梁材の外向きの凹部４６の上の全体を水平に塞いでいる。
【０２６２】
次に、図６０(b)は、人為的な力を加えることによって開閉蓋８０を長孔８８に沿って左方へ水平に移動させ、開閉蓋８０を開けた状態を示している。人為的な力として、作業員の手作業によった場合には、手作業によって開閉蓋８０を開いた後に、階段部材の掴み金具を梁材の凹部に受容することが可能となる。
【０２６３】
ただし、人為的な力として、上方から階段部材の掴み金具（図示せず）を下方に降ろして、建枠の横桟に引っかけるときの力を利用することもできる。すなわち、階段部材の掴み金具５０の下方への動きに追随して、閉じていた開閉蓋８０が左方に移動し、開閉蓋８０が開くから、階段部材の掴み金具５０を容易に床付き布枠の梁材の突出部の凹部４６に受容することができる。このとき、作業員による手作業により開閉蓋８０を開ける作業は不要となる。
【０２６４】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例２０】
【０２６５】
図６１は、本発明に係る床付き布枠の他の例であって、図５９に示した床付き布枠の変形例である。(a)は床付き布枠の梁材の端面の部分平面図であり、(b)はその正面図、(c)は(a)のＩ−Ｉ矢視断面図を、それぞれ示す。
【０２６６】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２６７】
外向きの凹部４６の上には、凹部４６の上の全体を水平に塞ぐことができる開閉蓋８０が設置されているが、開閉蓋８０には剛性をもたせるために、縁部８６が設けられている。また、開閉蓋８０には端部８５が設けられており、補強部材４７の端部にはクサビ効果のある長孔９９が左上方から右下方にかけて傾斜して設けられている。そして、この補強部材４７の端部に設けられた長孔９９を介して、リベット８９が開閉蓋８０の端部８５に取り付けられていて、リベット８９はこの長孔９９の中を移動自在であるから、開閉蓋８０は長孔９９に沿って左右に移動できる。
【０２６８】
この開閉蓋８０は、開閉蓋８０を閉めた状態のときには、クサビ効果のある長孔９９によって梁材の凹部の上面の最右方に水平状態に蓋が固定されているので、開閉蓋８０は梁材の外向きの凹部４６の上の全体を水平に塞いでいる。これは、作業員が開閉蓋８０の縁部８６を右方へハンマーで叩くか又は力を入れて動かすことによって、長孔９９の最右方にリベット８９を移動させたものである。
【０２６９】
そして、この開閉蓋８０は、階段部材の掴み金具を凹部に受容する必要があるときに、作業員が開閉蓋８０の縁部８６を左方へハンマーで叩くか又は力を入れて動かすことによって、クサビ効果を外した後に、人為的な力を加えることによって開閉蓋８０を長孔９９に沿って左方へ移動させ、開閉蓋８０を開ける構造となっている。このように、開閉蓋８０は左右の水平方向のみに移動できる構造となっているから、梁材の凹部の上に設置された開閉蓋８０は風にあおられても、開閉蓋８０が不意に持ち上がることはない。
【０２７０】
図６２は、図６１に示した本発明に係る床付き布枠について、開閉蓋８０を開ける作業の手順を示したものである。
【０２７１】
図６２(a)は、床付き布枠の掴み金具（図示せず）を建枠の横桟３に引っかけることによって、床付き布枠を枠組足場内に設置した状態である。この開閉蓋８０は、クサビ効果のある長孔９９によって梁材の凹部の上面の最右方に水平状態に蓋が固定されているので、開閉蓋８０は梁材の外向きの凹部４６の上の全体を水平に塞いでいる。
【０２７２】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられ、そして、凹部４６の内周面には、凹部４６を形成したために低下した強度を補強するために、断面コの字形の補強部材４７が接合されている点は、図５９と同じである。また、外向きの凹部４６の上には、凹部４６の上の全体を水平に塞ぐことができる開閉蓋８０が設置されていて、開閉蓋８０には端部８５と縁部８６が設けられている点も、図５９と同じである。
【０２７３】
しかしながら、補強部材４７の端部に設けられている長孔は、水平方向ではなく、図６２に示したとおりに傾斜しているので、クサビ効果のある長孔９９である。そして、この補強部材４７の端部に設けられた長孔９９を介して、リベット８９が開閉蓋８０の端部８５に取り付けられていて、リベット８９はこの長孔８８の中を移動自在であるから、開閉蓋８０は長孔９９に沿って左右に移動できるが、開閉蓋８０を最右方に移動させる際には開閉蓋８０の端部８６を作業員が右方へハンマーで叩くか又は力を入れて動かすことによって、長孔９９の最右方にリベット８９を移動させたので、開閉蓋８０は梁材の凹部の上面の最右方に水平状態に蓋が固定された状態である。
【０２７４】
次に、図６２(b)は、開閉蓋８０の縁部８６を作業員が左方へハンマーで叩くか又は力を入れて動かすことによって、クサビ効果を外した後に、人為的な力を加えることによって開閉蓋８０を長孔９９に沿って左方へ移動させ、開閉蓋８０を開けた状態を示している。このように、作業員の手作業によって開閉蓋８０を開いた後に、階段部材の掴み金具を梁材の凹部に受容することが可能となる。
【０２７５】
ただし、開閉蓋８０の縁部８６を作業員が左方へハンマーで叩くか又は力を入れて動かすことによって、クサビ効果を外した後であれば、特に作業員による手作業を要することなく、上方から階段部材の掴み金具（図示せず）を下方に降ろして、建枠の横桟に引っかけるときの力を利用することもできる。すなわち、階段部材の掴み金具（図示せず）の下方への動きに追随して開閉蓋８０が左方に移動すると開閉蓋８０が開くから、階段部材の掴み金具を容易に床付き布枠の梁材の突出部の凹部４６に受容することができる。このとき、作業員による手作業により開閉蓋８０を開ける作業は不要となる。
【０２７６】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例２１】
【０２７７】
図６３は、本発明に係る床付き布枠の他の例であって、図５９に示した床付き布枠の変形例である。(a)は床付き布枠の梁材の端面の部分平面図であり、(b)はその正面図、(c)は(a)のＩ−Ｉ矢視断面図を、それぞれ示す。
【０２７８】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられ、そして、凹部４６の内周面には、凹部４６を形成したために低下した強度を補強するために、断面コの字形の補強部材４７が接合されている点は、図５９と同じである。また、外向きの凹部４６の上には、凹部４６の上の全体を水平に塞ぐことができる開閉蓋８０が設置されていて、開閉蓋８０には端部８５と縁部８６が設けられている点も、図５９と同じである。
【０２７９】
しかしながら、補強部材４７の端部に設けられている水平方向の長孔１００は、長孔内にくびれを２個所有している。リベット８９が開閉蓋８０の端部８５に取り付けられていて、長孔内にくびれがなければ、リベット８９は長孔１００の中を左右に移動することができる。しかしながら、長孔内の右方にくびれが設けられているので、開閉蓋８０がこの長孔１００に沿って自発的に左方に移動しても、リベット８９が長孔内の右方のくびれにぶつかって止まるから、開閉蓋８０は梁材の凹部の上面の最右方に水平状態に蓋が保持されたままとなる。
【０２８０】
図６４は、図６３に示した本発明に係る床付き布枠について、開閉蓋８０を開ける作業の手順を示したものである。図６１(a)のＩ−Ｉ矢視断面図を示す。
【０２８１】
図６４(a)は、床付き布枠の掴み金具（図示せず）を建枠の横桟３に引っかけることによって、床付き布枠を枠組足場内に設置した状態である。この開閉蓋８０は、長孔１００の中の右方のくびれによって梁材の凹部の上面の最右方に水平状態に蓋が保持されているので、開閉蓋８０は梁材の外向きの凹部４６の上の全体を水平に塞いでいる。
【０２８２】
次に、図６４(b)は、開閉蓋８０に人為的な力を左方向に二度加えることによって、開閉蓋８０をくびれを２個有する長孔１００に沿って左方へ移動させ、開閉蓋８０を開けた状態を示している。したがって、階段部材の掴み金具を梁材の凹部に受容することが可能となる。ここでは、長孔内の左方にもくびれが設けられているので、開閉蓋８０に人為的な力を左方向に一度加えるだけでは、リベット８９が左方のくびれにぶつかって止まるから、開閉蓋８０をこの長孔１００に沿って最左方に移動させることはできない。したがって、開閉蓋８０をこの長孔１００に沿って最左方に移動するためには、開閉蓋８０にもう一度人為的な力を左方向に加える必要があるのである。人為的な力としては、ハンマーで開閉蓋８０の縁部８６を作業員が左方へハンマーで叩くことでもよいが、単に作業員が力を込めて開閉蓋８０を左方に移動させるだけでもよい。
【０２８３】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例２２】
【０２８４】
図６５は、本発明に係る床付き布枠の他の例であって、図５９に示した床付き布枠の変形例である。(a)は床付き布枠の梁材の端面の部分平面図であり、(b)はその正面図、(c)は(a)のＩ−Ｉ矢視断面図を、それぞれ示す。
【０２８５】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられ、そして、凹部４６の内周面には、凹部４６を形成したために低下した強度を補強するために、断面コの字形の補強部材４７が接合されている点は、図５９と同じである。また、外向きの凹部４６の上には、凹部４６の上の全体を水平に塞ぐことができる開閉蓋８０が設置されていて、開閉蓋８０には端部８５と縁部８６が設けられている点も、図５９と同じである。
【０２８６】
しかしながら、補強部材４７の端部に設けられている水平方向の長孔１００は、長孔内にくびれを右方に１個所有している。リベット８９が開閉蓋８０の端部８５に取り付けられていて、長孔内にくびれがなければ、リベット８９は長孔１００の中を左右に移動することができる。しかしながら、長孔内の右方にくびれが設けられているので、開閉蓋８０がこの長孔１００に沿って自発的に左方に移動しても、リベット８９が長孔内の右方のくびれにぶつかって止まるから、開閉蓋８０は梁材の凹部の上面の最右方に水平状態に蓋が保持されたままとなる。
【０２８７】
図６６は、図６５に示した本発明に係る床付き布枠について、開閉蓋８０を開ける作業の手順を示したものである。図６１(a)のＩ−Ｉ矢視断面図を示す。
【０２８８】
図６６(a)は、床付き布枠の掴み金具（図示せず）を建枠の横桟３に引っかけることによって、床付き布枠を枠組足場内に設置した状態である。この開閉蓋８０は、長孔１００の中の右方のくびれによって梁材の凹部の上面の最右方に水平状態に蓋が保持されているので、開閉蓋８０は梁材の外向きの凹部４６の上の全体を水平に塞いでいる。
【０２８９】
次に、図６６(b)は、開閉蓋８０に人為的な力を左方向に一度加えることによって開閉蓋８０を、凸部のある長孔１００に沿って左方へ移動させ、開閉蓋８０を開けた状態を示している。したがって、階段部材の掴み金具を梁材の凹部に受容することが可能となる。ここでは、図６３とは異なり、長孔内の左方にはくびれが設けられていないので、開閉蓋８０にもう一度人為的な力を左方向に加える必要はない。人為的な力としては、ハンマーで開閉蓋８０の縁部８６を作業員が右方へハンマーで叩くことでもよいが、単に作業員が力を込めて開閉蓋８０を左方に移動させるだけでもよい。
【０２９０】
この場合は、一度人為的な力を左方向に加えて、凸部のある長孔１００に沿って左方へ移動させた後であれば、特に作業員による手作業を要することなく、上方から階段部材の掴み金具（図示せず）を下方に降ろして、建枠の横桟に引っかけるときの力を利用することもできる。すなわち、階段部材の掴み金具（図示せず）の下方への動きに追随して開閉蓋８０が左方に移動すると開閉蓋８０が開くから、階段部材の掴み金具を容易に床付き布枠の梁材の突出部の凹部４６に受容することができる。
【０２９１】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例２３】
【０２９２】
図６７は、本発明に係る床付き布枠の他の例を示したものである。(a)は床付き布枠の梁材の端面の部分平面図であり、(b)はその正面図、(c)は(a)のＧ−Ｇ矢視断面図、(d)は(a)のＨ−Ｈ矢視断面図を、それぞれ示す。
【０２９３】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２９４】
外向きの凹部４６の上には、凹部４６の上の全体を水平に塞ぐことができる開閉蓋８０が設置されているが、開閉蓋８０には端部８５が設けられており、補強部材４７の端部には水平方向に長孔８８が設けられている。そして、この補強部材４７の端部に設けられた長孔８８を介して、リベット８９が開閉蓋８０の端部８５に取り付けられていて、リベット８９はこの長孔８８の中を移動自在であるから、開閉蓋８０は長孔８８に沿って左右に移動できるようになっている。
【０２９５】
また、この開閉蓋８０には縁部８６が設けられており、この縁部８６と補強部材４７の間には押しバネ９４が２箇所設けられている。開閉蓋８０を閉めた状態のときには、この押しバネ９４の付勢力によって、梁材の凹部の上面の最右方に水平状態に蓋が保持されている。そして、この開閉蓋８０は、階段部材の掴み金具を凹部に受容する必要があるときに、人為的な力をかけることで、押しバネ９４の付勢力に逆らって開閉蓋８０を長孔８８に沿って左方に移動させることによって、開閉蓋８０を開ける構造となっている。このように、開閉蓋８０は左右の水平方向のみに移動できる構造となっており、開閉蓋８０を閉めた状態のときには、押しバネ９４の付勢力によって、梁材の凹部の上面の最右方に水平状態に蓋が保持されているから、梁材の凹部の上に設置された開閉蓋８０は風にあおられても、開閉蓋８０が不意に持ち上がったり開いたりすることはないので、作業員が開閉蓋８０につまずいて転倒するおそれもない。
【０２９６】
開閉蓋８０を開けるための人為的な力としては、作業員による手動の力の外に、階段部材の掴み金具を凹部に受容させるときの掴み金具の下方への動きの力を利用することができる。
【０２９７】
図６８及び図６９は、図６７に示した本発明に係る床付き布枠について、人為的な力をかけて、開閉蓋８０を開ける作業の手順を示したものである。図６８が図６７(a)のＧ−Ｇ矢視断面図、そして、図６９が図６７(a)のＨ−Ｈ矢視断面図を、それぞれ示す。
【０２９８】
図６８(a)及び図６９(a)は、床付き布枠の掴み金具（図示せず）を建枠の横桟３に引っかけることによって、床付き布枠を枠組足場内に設置した状態である。ここでは、この開閉蓋８０は、押しバネ９４の付勢力によって、梁材の凹部の上面の最右方に水平に蓋が保持されているので、開閉蓋８０は梁材の外向きの凹部４６の上の全体を水平に塞いでいる。
【０２９９】
この開閉蓋８０は人為的な力を加えなければ、最右方に水平に保持されているので、開閉蓋８０の上を作業員が通行しても移動することはない。なお、図示したように、開閉蓋８０は人為的な力を加えることによって長孔８８に沿って左方へ水平に移動させることができる。
【０３００】
次に、図６８(b)及び図６９(b)は、人為的な力を加えることによって押しバネ９４の付勢力に反して、開閉蓋８０を長孔８８に沿って左方へ水平に移動させ、開閉蓋８０を開けた状態を示している。人為的な力として、作業員の手作業によった場合には、手作業によって開閉蓋８０を開いた後に、階段部材の掴み金具を梁材の凹部に受容することが可能となる。
【０３０１】
ただし、人為的な力として、上方から階段部材の掴み金具（図示せず）を下方に降ろして、建枠の横桟に引っかけるときの力を利用することもできる。すなわち、階段部材の掴み金具５０の下方への動きに追随して、閉じていた開閉蓋８０が押しバネ９４の付勢力に反して左方に移動し、開閉蓋８０が開くから、階段部材の掴み金具５０を容易に床付き布枠の梁材の突出部の凹部４６に受容することができる。このとき、作業員による手作業により開閉蓋８０を開ける作業は不要となる。
【０３０２】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例２４】
【０３０３】
図７０は、本発明に係る床付き布枠の他の例を示したものである。(a)は床付き布枠の梁材の端面の部分平面図であり、(b)は(a)のＪ−Ｊ矢視断面図を示す。
【０３０４】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０３０５】
外向きの凹部４６の上には、２枚の開閉蓋８０が設置されており、開閉蓋８０を閉めた状態のときには、２枚の開閉蓋８０を閉じることによって、凹部４６の上の全体を水平に塞いでいる。２枚の開閉蓋８０には、端部８５と縁部８６が設けられており、補強部材４７には水平方向に長孔（図示せず）が設けられている。そして、この補強部材４７に設けられた長孔を介して、ボルト９６とナット９７が開閉蓋８０の縁部８６に取り付けられていて、ボルト９６とナット９７はこの長孔の中を移動自在であるから、２枚の開閉蓋８０は長孔に沿って左右に開閉できる。
【０３０６】
このように、２枚の開閉蓋８０は個別に左右に開閉できる構造となっており開閉蓋８０を閉めた状態のときには、梁材の凹部４６の上の全体を水平に塞いでいるから、梁材の凹部の上に設置された開閉蓋８０は風にあおられても、開閉蓋８０が不意に持ち上がったり開いたりすることはないので、作業員が開閉蓋８０につまずいて転倒するおそれもない。
【０３０７】
図７１は、図７０に示した本発明に係る床付き布枠について、作業員が手作業によって、左方の開閉蓋８０を開けたところである。(a)は床付き布枠の梁材の端面の中央部の部分平面図であり、(b)は(a)のＪ−Ｊ矢視断面図を示す。
【０３０８】
その後、作業員が手作業によって、右方の開閉蓋８０を開いた後に、階段部材の掴み金具を梁材の凹部に受容することが可能となる。なお、左右のいずれかの開閉蓋８０だけを開いた状態で掴み金具を梁材の凹部に受容することができる場合には、殊更に左右両方の開閉蓋８０を開く必要はない。
【０３０９】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋を閉じることによって、その凹部において、横桟との間の隙間を少なくすることができる。
【実施例２５】
【０３１０】
図７２は、このような開閉蓋を有する床付き布枠の一例を示したものである。(a)は床付き布枠の全体平面図、(b)は(a)の梁材の端面の楕円Ａの部分平面図であり、(c)はその正面図、(d)は(b)のＥ−Ｅ矢視断面図（背景は図示せず）、(e)は(b)のＦ−Ｆ矢視断面図（背景は図示せず）を、それぞれ示す。
【０３１１】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０３１２】
外向きの凹部４６の上には、凹部４６の上の全体を水平に塞ぐことができる開閉蓋８０が設置されているが、開閉蓋８０には剛性をもたせるために、２つの端部８５と２つの縁部８６ａ、８６ｂがそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０３１３】
この開閉蓋８０は、凹部４６に階段部材の掴み金具を受容していない状態のときには、引きバネ８７の付勢力によって、梁材の凹部の上面レベルに水平に蓋が水平に保持されている。したがって、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０３１４】
図７３及び図７４は、作業員の手作業により、図７２に示した開閉蓋を開ける作業の手順を示したものである。図７３が図７２(b)のＥ−Ｅ矢視断面図（背景は図示せず）、そして、図７４が図７２(b)のＦ−Ｆ矢視断面図（背景は図示せず）を、それぞれ示す。
【０３１５】
図７３(a)及び図７４(a)は、床付き布枠の掴み金具（図示せず）を建枠の横桟３に取り付けることによって、床付き布枠を枠組足場内に設置したが、階段部材の掴み金具は受容していない状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、引きバネ８７の付勢力のために、梁材の凹部の上面レベルに水平に保持されている。この開閉蓋８０は作業員による人為的な力を加えなければ水平に保持されているので、開閉蓋８０の上を作業員が通行しても移動することはない。なお、図示したように、開閉蓋８０は作業員の手作業によって左回りに回転可能である。
【０３１６】
次に、図７３(b)及び図７４(b)は、作業員の手作業によって引きバネ８７の付勢力に反して、開閉蓋８０を回転軸８１の回りに左回りに回転した後、開閉蓋８０が引きバネ８７の付勢力によって長孔８８に沿って下方に移動する途中の状態を示している。
【０３１７】
そして、図７３(c)及び図７４(c)は、開閉蓋８０が引きバネ８７の付勢力によって長孔８８に沿って下方に移動した後の状態を示している。
【０３１８】
この結果、開閉蓋８０が開かれているので、階段部材の掴み金具を梁材の凹部に取り付けることが可能となる。
【０３１９】
そして、図７５は、上記図７４(c)に示された開閉蓋８０が開かれた状態で、階段部材の掴み金具５０を建枠の横桟３に取り付ける際の動きを示す（背景は図示せず）。図７５(a)が階段部材の掴み金具５０の取り付け前、そして、図７５(b)が取り付け後である。
【０３２０】
図示されるように、階段部材の掴み金具５０は容易に床付き布枠の梁材の突出部の凹部４６に受容させることができる。
【０３２１】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部や階段部材の掴み金具を受容する必要があるときに蓋を開け、そして、受容しないときには蓋をすることができる。したがって、この床付き布枠を枠組足場の通常の作業床及び通路に用いるときは、開閉蓋８０を閉じることによって、その凹部において、横桟との間の隙間を少なくすることができる。
【０３２２】
次に、以上は、外向きの幅広の切欠き部又は凹部の上に開閉可能な蓋を設け、建枠の縦柱又は支柱とブラケットの固定部や階段部材の掴み金具を受容しているときには蓋を開け、そして、受容していないときには蓋をして、床付き布枠を用いることを考えてきた。
【０３２３】
しかしながら、建枠の縦柱又は支柱とブラケットの固定部は縦方向に立設されるものである一方、階段部材の掴み金具は建枠の横桟又は腕木材に斜めに取り付けられるものであるから、階段部材の掴み金具を取り付けるときと取り外すときは別にして、階段部材の掴み金具を受容している状態のときには、開閉蓋を閉じて使用できるのではないかとの着想を得た。すなわち、上記切欠き部又は凹部に掴み金具を受容している状態又は受容していない状態のときにはその切欠き部又は凹部の上面に水平にその蓋を保持することによってその切欠き部又は凹部を塞いでおり、そして、掴み金具を取り外すとき又は取り付けるときには手動によりその蓋を回転させて開けることができるのではないかと思いついた。
【０３２４】
図７６は、このような着想の下に、階段部材の掴み金具５０を建枠の横桟３に取り付けた状態で、上記図７５(b)に示された開閉蓋８０を開かれた状態から右回転させて閉じる際の動きを示す（背景は図示せず）。図７６(a)が開閉蓋８０の回転前、そして、図７６(b)が回転後である。
【０３２５】
図示されるように、開閉蓋８０の２つの縁部８６ａ、８６ｂのうち、外側縁部８６ｂが階段部材の掴み金具５０にぶつかるので、開閉蓋８０は水平レベルまで回転することができない。
【０３２６】
したがって、階段部材の掴み金具を受容している状態のときに、開閉蓋を閉じて使用しようとすると、図７３に示す開閉蓋では、ある程度は閉じることはできるものの、開閉蓋８０は傾斜したままとなる。したがって、隙間が少し残るので、ボルト、ナット等の小物が落下するおそれは完全には否めない。
【実施例２６】
【０３２７】
図７７は、階段部材の掴み金具を受容している状態のときであっても開閉蓋を閉じて使用することができる、床付き布枠の一例（本発明）を示したものである。(a)は床付き布枠の全体平面図、(b)は(a)の梁材の端面の楕円Ａの部分平面拡大図であり、(c)はその正面図、(d)は(b)のＥ−Ｅ矢視断面図（背景は図示せず）、(e)は(b)のＦ−Ｆ矢視断面図（背景は図示せず）を、それぞれ示す。
【０３２８】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０３２９】
外向きの凹部４６の上には、凹部４６の上を水平に塞ぐことができる開閉蓋８０が設置されているが、開閉蓋８０には剛性をもたせるために、２つの端部８５と２つの縁部８６ａ、８６ｂがそれぞれ設けられている。ただし、開閉蓋８０の２つの縁部８６ａ、８６ｂのうち、階段部材の掴み金具５０にぶつかる部分の外側縁部８６ｂはその中央部分が大きくカットされている。
【０３３０】
開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０３３１】
この開閉蓋８０は、凹部４６に階段部材の掴み金具を受容していない状態のときには、引きバネ８７の付勢力によって、梁材の凹部の上面レベルに蓋が水平に保持されている。したがって、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０３３２】
図７８及び図７９は、作業員の手作業により、図７７に示した開閉蓋を開ける作業の手順を示したものである。図７８が図７７(b)のＥ−Ｅ矢視断面図（背景は図示せず）、そして、図７９が図７７(b)のＦ−Ｆ矢視断面図（背景は図示せず）を、それぞれ示す。
【０３３３】
図７８(a)及び図７９(a)は、床付き布枠の掴み金具（図示せず）を建枠の横桟３に取り付けることによって、床付き布枠を枠組足場内に設置したところであって、階段部材の掴み金具は受容していない状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、引きバネ８７の付勢力のために、梁材の凹部の上面レベルに水平に保持されている。この開閉蓋８０は作業員による人為的な力を加えなければ水平に保持されているので、開閉蓋８０の上を作業員が通行しても移動することはない。なお、図示したように、開閉蓋８０は作業員の手作業によって左回りに回転可能である。
【０３３４】
次に、図７８(b)及び図７９(b)は、作業員の手作業によって引きバネ８７の付勢力に反して、開閉蓋８０を回転軸８１の回りに左回りに回転した後、開閉蓋８０が引きバネ８７の付勢力によって長孔８８に沿って下方に移動する途中の状態を示している。
【０３３５】
そして、図７８(c)及び図７９(c)は、開閉蓋８０が引きバネ８７の付勢力によって長孔８８に沿って下方に移動した後の状態を示している。この結果、開閉蓋８０が開かれた状態となっている。
【０３３６】
図８０及び図８１は、作業員の手作業により、図７７に示した開閉蓋８０が開かれた状態のときに階段部材の掴み金具５０を取り付ける作業の手順を示したものである。図８０が図７７(b)のＥ−Ｅ矢視断面図（背景は図示せず）、そして、図８１が図７７(b)のＦ−Ｆ矢視断面図（背景は図示せず）を、それぞれ示す。
【０３３７】
図８０(a)及び図８１(a)は、開閉蓋８０が引きバネ８７の付勢力によって開かれたままの状態を示している。階段部材の掴み金具を取り付ける前であって、建枠の横桟３には階段部材の掴み金具５０は未だ受容されていない状態である。
【０３３８】
次に、図８０(b)及び図８１(b)は、作業員が階段部材の掴み金具５０を建枠の横桟３に取り付けた後の状態である。図示されるように、階段部材の掴み金具５０は容易に床付き布枠の梁材の凹部４６に受容させることができる。
【０３３９】
次に、図８２及び図８３は、作業員の手作業により、階段部材の掴み金具５０を受容しているときに、図７７に示した開閉蓋を閉じる作業の手順を示したものである。図８２が図７７(b)のＥ−Ｅ矢視断面図（背景は図示せず）、そして、図８３が図７７(b)のＦ−Ｆ矢視断面図（背景は図示せず）を、それぞれ示す。
【０３４０】
図８２(a)及び図８３(a)は、作業員が階段部材の掴み金具５０を建枠の横桟３に取り付けた後の状態である。したがって、開閉蓋８０は開いたままとなっている。
【０３４１】
次に、図８２(b)及び図８３(b)は、作業員の手作業によって、引きバネ８７の付勢力に反して、開閉蓋８０を長孔８８に沿って上方に引き上げる途中の状態を示している。
【０３４２】
そして、図８２(c)及び図８３(c)は、上方に引き上げた開閉蓋８０を回転軸８１の回りに右回りに回転した後の状態を示している。図示されるように、階段部材の掴み金具５０は開閉蓋の外側縁部のカット部分８６ｃに収容されるので、開閉蓋８０は床付き布枠の凹部４６の上に水平に保持されている。
【０３４３】
したがって、図７７〜図８３に示すように、梁材の凹部に階段部材の掴み金具を受容していない状態のときは勿論、受容している状態のときであっても、梁材の凹部４６の上に開閉蓋８０を水平に保持することができる。このとき、この開閉蓋８０は、引きバネ８７の付勢力のために、梁材の凹部の上面レベルに水平に保持されている。この開閉蓋８０は作業員による人為的な力を加えなければ水平に保持されているので、開閉蓋８０の上を作業員が通行しても移動することはない。開閉蓋が水平に保持されていて、隙間もほとんどないので、ボルト、ナット等の小物が落下するおそれはないし、作業員がこの開閉蓋につまずくおそれもない。
【０３４４】
そして、階段部材の掴み金具５０を取り外すときには、図８３に示すのとは逆の手順で、作業員の手作業によって引きバネ８７の付勢力に反して、開閉蓋８０を回転軸８１の回りに左回りに回転した後、下方に移動させることによって、開閉蓋８０を開き、その状態で、階段部材の掴み金具５０を右上方に取り外せばよい。階段部材の掴み金具５０を建枠の横桟３から取り外した後は、再度、図８３に示す手順で、開閉蓋８０を上方に移動後、右回転させることによって閉じることができる。このとき、この開閉蓋８０は、引きバネ８７の付勢力のために、梁材の凹部の上面レベルに水平に保持される。この開閉蓋８０は作業員による人為的な力を加えなければ水平に保持されているので、開閉蓋８０の上を作業員が通行しても移動することはない。階段部材の掴み金具５０を建枠の横桟３から取り外した後も、開閉蓋を水平に保持することができ、隙間もほとんどないので、ボルト、ナット等の小物が落下するおそれはないし、作業員がこの開閉蓋につまずくおそれもない。
【０３４５】
したがって、開閉蓋８０の外側縁部８６ｂの全部又は一部をカットすれば、開閉蓋８０は梁材の凹部の上面レベルに水平に保持される。なお、開閉蓋８０の外側縁部８６ｂは、階段部材の掴み金具５０にぶつからないようにすればよいのであって、少なくとも階段部材の掴み金具５０が当たる部分のみをカットすればよい。ただし、階段部材によっては、その掴み金具の設置位置が異なる場合もあるから、余裕を持たせるために、開閉蓋８０の外側縁部８６ｂのカット部分の幅を広くしてもよいし、外側縁部８６ｂの全部をカットしてもよい。ただし、外側縁部８６ｂのカット部分の幅が広すぎると、その上を作業員が乗ったときに撓むことがあり、足場を通行する作業員に不安を与えるおそれがある。このようなおそれがあるときには、カット部分の途中に補強リブを形成するのがよい。
【０３４６】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部を受容する必要があるときに蓋を開け、そして、受容しないときには蓋をすることができる。また、階段部材の掴み金具を受容している状態又は受容していない状態のときにはその切欠き部又は凹部の上面に水平にその蓋を保持することによってその切欠き部又は凹部を塞いでおき、そして、掴み金具を取り外すとき又は取り付けるときには手動によりその蓋を回転させて開けることができる。もちろん、この床付き布枠を枠組足場の通常の作業床及び通路に用いるときは、開閉蓋を閉じることによって、その凹部において、横桟との間の隙間を少なくすることができる。
【実施例２７】
【０３４７】
図８４は、本発明に係る床付き布枠の他の例を示したものである。(a)は床付き布枠の全体平面図、(b)は(a)の梁材の端面の楕円Ｏの部分平面拡大図であり、(c)はその正面図、(d)は(b)のＡ−Ａ矢視断面図（背景は図示せず）、(e)は(b)のＢ−Ｂ矢視断面図（背景は図示せず）、(f)は(b)のＣ−Ｃ矢視断面図、(g)は(f)のＤ−Ｄ矢視断面図（拡大図）、(h)は(f)のＥ−Ｅ矢視断面図（拡大図）を、それぞれ示す。
【０３４８】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０３４９】
外向きの凹部４６の上には、凹部４６の上を水平に塞ぐことができる開閉蓋８０が設置されているが、開閉蓋８０には剛性をもたせるために、２つの端部８５と２つの縁部８６ａ、８６ｂがそれぞれ設けられている。ただし、開閉蓋８０の２つの縁部８６ａ、８６ｂのうち、階段部材の掴み金具５０にぶつかる部分の外側縁部８６ｂはその中央部分が大きくカットされている。
【０３５０】
開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０３５１】
また、突出部の凹部４６の内周面に接合された断面コの字形の補強部材４７の両端部には凸部（突起）４９が形成されていて、凹部４６に階段部材の掴み金具を受容していない状態のときには、開閉蓋８０の端部８５に設けられた長孔８８に嵌合しているので、風力などでは凸部（突起）４９が端部８５に設けられた長孔８８から外れることはなく、開閉蓋８０は梁材の外向きの凹部４６の上面レベルに水平に保持されている。
【０３５２】
そして、この開閉蓋８０は、階段部材の掴み金具を凹部４６に取り付ける必要があるときに、断面コの字形の補強部材４７の両端部に形成された凸部（突起）４９を、作業員の手作業によって開閉蓋８０の端部８５に設けられた長孔８８から外すともに開閉蓋８０を回転軸８１の回りに左へ回転した後、長孔８８に沿って下方に移動させることで、開閉蓋８０を開ける構造となっている。したがって、凹部４６に階段部材の掴み金具を受容していない状態のときには、開閉蓋８０が梁材の外向きの凹部４６の上面レベルに水平に保持されていて、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０３５３】
図８５及び図８６は、作業員の手作業により、図８４に示した開閉蓋を開ける作業の手順を示したものである。図８５が図８４(b)のＡ−Ａ矢視断面図（背景は図示せず）、そして、図８６が図８４(b)のＢ−Ｂ矢視断面図（背景は図示せず）を、それぞれ示す。
【０３５４】
図８５(a)及び図８６(a)は、床付き布枠の掴み金具（図示せず）を建枠の横桟３に取り付けることによって、床付き布枠を枠組足場内に設置したところであって、階段部材の掴み金具は受容していない状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、突出部の凹部４６の内周面に接合された断面コの字形の補強部材４７の両端部には凸部（突起）４９が形成されていて、開閉蓋８０の端部８５に設けられた長孔８８に嵌合しているので、風力などでは凸部（突起）４９が端部８５に設けられた長孔８８から外れることはなく、開閉蓋８０は梁材の外向きの凹部４６の上面レベルに水平に保持されている。この開閉蓋８０は作業員による人為的な力を加えなければ水平に保持されているので、開閉蓋８０の上を作業員が通行しても移動することはない。なお、図示したように、開閉蓋８０は作業員の手作業によって左回りに回転可能である。
【０３５５】
次に、図８５(b)及び図８６(b)は、作業員の手作業によって、凸部（突起）４９と長孔８８の嵌合を外すともに開閉蓋８０を回転軸８１の回りに左へ回転した後、長孔８８に沿って下方に移動する途中の状態を示している。
【０３５６】
そして、図８５(c)及び図８６(c)は、開閉蓋８０が長孔８８に沿って下方に移動した後の状態を示している。開閉蓋８０は開閉蓋の端部８５に設けられた長孔８８の中のリベット８９により吊り下げられているので、開閉蓋８０の自重により開閉蓋８０は開かれたままの状態となっている。
【０３５７】
図８７及び図８８は、作業員の手作業により、図８４に示した開閉蓋８０が開かれた状態のときに階段部材の掴み金具５０を取り付ける作業の手順を示したものである。図８７が図８４(b)のＡ−Ａ矢視断面図（背景は図示せず）、そして、図８８が図８４(b)のＢ−Ｂ矢視断面図（背景は図示せず）を、それぞれ示す。
【０３５８】
図８７(a)及び図８８(a)は、開閉蓋８０の自重により開閉蓋８０は開かれたままの状態となっている。階段部材の掴み金具を取り付ける前であって、建枠の横桟３には階段部材の掴み金具５０は未だ受容されていない状態である。
【０３５９】
次に、図８７(b)及び図８８(b)は、作業員が階段部材の掴み金具５０を建枠の横桟３に取り付けた後の状態である。図示されるように、階段部材の掴み金具５０は容易に床付き布枠の梁材の凹部４６に受容させることができる。
【０３６０】
次に、図８９及び図９０は、作業員の手作業により、階段部材の掴み金具５０を受容しているときに、図８４に示した開閉蓋を閉じる作業の手順を示したものである。図８９が図８４(b)のＡ−Ａ矢視断面図（背景は図示せず）、そして、図９０が図８４(b)のＢ−Ｂ矢視断面図（背景は図示せず）を、それぞれ示す。
【０３６１】
図８９(a)及び図９０(a)は、作業員が階段部材の掴み金具５０を建枠の横桟３に取り付けた後の状態である。したがって、開閉蓋８０は開いたままとなっている。
【０３６２】
次に、図８９(b)及び図９０(b)は、作業員の手作業によって、開閉蓋８０を長孔８８に沿って上方に引き上げる途中の状態を示している。
【０３６３】
そして、図８９(c)及び図９０(c)は、上方に引き上げた開閉蓋８０を回転軸８１の回りに右回りに回転した後の状態を示している。図示されるように、階段部材の掴み金具５０は開閉蓋の外側縁部のカット部分８６ｃに収容されるので、開閉蓋８０は床付き布枠の凹部４６の上に水平に保持されている。
【０３６４】
したがって、図８４〜図９０に示すように、梁材の凹部に階段部材の掴み金具を受容していない状態のときは勿論、受容している状態のときであっても、梁材の凹部４６の上に開閉蓋８０を水平に保持することができる。このとき、突出部の凹部４６の内周面に接合された断面コの字形の補強部材４７の両端部に形成された凸部（突起）４９が、開閉蓋８０の端部８５に設けられた長孔８８に嵌合しているので、風力などでは凸部（突起）４９が端部８５に設けられた長孔８８から外れることはなく、開閉蓋８０は梁材の外向きの凹部４６の上面レベルに水平に保持されている。この開閉蓋８０は作業員による人為的な力を加えなければ水平に保持されているので、開閉蓋８０の上を作業員が通行しても移動することはない。開閉蓋が水平に保持されていて、隙間もほとんどないので、ボルト、ナット等の小物が落下するおそれはないし、作業員がこの開閉蓋につまずくおそれもない。
【０３６５】
そして、階段部材の掴み金具５０を取り外すときには、図９０に示すのとは逆の手順で、開閉蓋８０を回転軸８１の回りに左回りに回転した後、下方に移動させることによって、開閉蓋８０を開き、その状態で、階段部材の掴み金具５０を右上方に取り外せばよい。階段部材の掴み金具５０を建枠の横桟３から取り外した後は、再度、図９０に示す手順で、開閉蓋８０を上方に移動後、右回転させることによって閉じることができる。このとき、突出部の凹部４６の内周面に接合された断面コの字形の補強部材４７の両端部に形成された凸部（突起）４９が、開閉蓋８０の端部８５に設けられた長孔８８に嵌合しているので、風力などでは凸部（突起）４９が端部８５に設けられた長孔８８から外れることはなく、開閉蓋８０は梁材の外向きの凹部４６の上面レベルに水平に保持されている。この開閉蓋８０は作業員による人為的な力を加えなければ水平に保持されているので、開閉蓋８０の上を作業員が通行しても移動することはない。階段部材の掴み金具５０を建枠の横桟３から取り外した後も、開閉蓋を水平に保持することができ、隙間もほとんどないので、ボルト、ナット等の小物が落下するおそれはないし、作業員がこの開閉蓋につまずくおそれもない。
【０３６６】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部を受容する必要があるときに蓋を開け、そして、受容しないときには蓋をすることができる。また、階段部材の掴み金具を受容している状態又は受容していない状態のときにはその切欠き部又は凹部の上面に水平にその蓋を保持することによってその切欠き部又は凹部を塞いでおき、そして、掴み金具を取り外すとき又は取り付けるときには手動によりその蓋を回転させて開けることができる。もちろん、この床付き布枠を枠組足場の通常の作業床及び通路に用いるときは、開閉蓋を閉じることによって、その凹部において、横桟との間の隙間を少なくすることができる。
【実施例２８】
【０３６７】
図９１は、本発明に係る床付き布枠の他の例を示したものである。(a)は床付き布枠の全体平面図、(b)は(a)の梁材の端面の楕円Ｏの部分平面拡大図であり、(c)はその正面図、そして、(d)は(b)のＡ−Ａ矢視断面図、(e)は(b)のＢ−Ｂ矢視断面図（背景は図示せず）を、それぞれ示す。
【０３６８】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０３６９】
図９１(d)及び図９１(e)で説明すると、外向きの凹部４６の上には、凹部４６の上の全体を水平に塞ぐことができる開閉蓋８０が設置されている。開閉蓋８０には端部８５が設けられており、補強部材４７の端部にはクサビ効果のある長孔９９が左上方から右下方にかけて傾斜して設けられている。そして、この補強部材４７の端部に設けられた長孔９９を介して、リベット８９が開閉蓋８０の端部８５に取り付けられていて、リベット８９はこの長孔９９の中を移動自在であるから、開閉蓋８０は長孔９９に沿って左右に移動できる。
【０３７０】
図９１(d)及び図９１(e)は、作業員が開閉蓋８０を右方へハンマーで叩くか又は力を入れて動かすことによって、長孔９９の最右方にリベット８９を移動させ、くさび効果が効いた状態である。また、凹部４６に階段部材の掴み金具を受容していない状態である。開閉蓋８０は梁材の外向きの凹部４６の上の全体を水平に塞ぐ状態で保持されており、長孔９９の最右方に固定されている。
【０３７１】
そして、この開閉蓋８０は、階段部材の掴み金具を凹部に受容する必要があるときに、作業員が開閉蓋８０を左方へハンマーで叩くか又は力を入れて動かすことで、開閉蓋８０を長孔９９に沿って左方へ移動させ、開閉蓋８０を開ける構造となっている。このように、開閉蓋８０は左右の水平方向のみに移動できる構造となっているから、梁材の凹部の上に設置された開閉蓋８０は風力等で自然に移動することはない。
【０３７２】
図９２及び図９３は、作業員の手作業により、図９１に示した本発明に係る床付き布枠について、開閉蓋８０を開けて、階段部材の掴み金具５０を取り付ける作業の手順を示したものである。図９２が図９１(b)のＡ−Ａ矢視断面図、そして、図９３が図９１(b)のＢ−Ｂ矢視断面図（背景は図示せず）を、それぞれ示す。
【０３７３】
図９２(a)及び図９３(a)は、床付き布枠の掴み金具（図示せず）を建枠の横桟３に取り付けることによって、床付き布枠が枠組足場内に設置された状態を示す。階段部材の掴み金具は凹部に受容されていない。クサビ効果の効いた状態にあるので、開閉蓋８０は最右方に固定されている。
【０３７４】
次に、図９２(b)及び図９３(b)は、開閉蓋８０を作業員が左方へハンマーで叩くか又は力を入れて動かすことによって、クサビ効果を外した後に、手作業によって開閉蓋８０を長孔９９に沿って左方へ移動させ、開閉蓋８０を開けた状態を示している。開閉蓋８０の開いた部分は、階段部材の掴み金具５０を受容することができるだけのスペースを有している。
【０３７５】
図９２(c)及び図９３(c)は、開閉蓋８０を開けたまま、作業員の手作業により、階段部材の掴み金具５０を横桟３に取り付けた直後の状態を示している。
【０３７６】
そして、図９２(d)及び図９３(d)は、開閉蓋８０を右方に移動させたのち、作業員が開閉蓋８０を右方へハンマーで叩くか又は力を入れて動かすことによって、クサビ効果を効かせた状態を示す。階段部材の掴み金具は梁材の凹部４６に受容された状態で、開閉蓋８０はクサビ効果の効いた状態で最右方に固定されている。この開閉蓋８０は作業員による人為的な力を加えなければ水平に保持されているので、開閉蓋８０の上を作業員が通行しても移動することはない。隙間もほとんどないので、ボルト、ナット等の小物が落下するおそれはないし、作業員がこの開閉蓋につまずくおそれもない。
【０３７７】
そして、階段部材の掴み金具５０を取り外すときには、図９２及び図９３に示すのとは逆の手順で、作業すればよい。
【０３７８】
図９４及び図９５は、作業員の手作業により、図９１に示した本発明に係る床付き布枠について、開閉蓋８０を開けて、階段部材の掴み金具５０を取り外す作業の手順を示したものである。図９４が図９１(b)のＡ−Ａ矢視断面図、そして、図９５が図９１(b)のＢ−Ｂ矢視断面図（背景は図示せず）を、それぞれ示す。
【０３７９】
図９４(a)及び図９５(a)は、床付き布枠の掴み金具（図示せず）が建枠の横桟３に取り付けられ、また、階段部材の掴み金具５０は梁材の上部フランジ４１の凹部４６に受容されたまま、開閉蓋８０はクサビ効果の効いた状態で最右方に固定されている状態を示す。
【０３８０】
次に、図９４(b)及び図９５(b)は、開閉蓋８０を作業員が左方へハンマーで叩くか又は力を入れて動かすことによって、クサビ効果を外した後に、手作業によって開閉蓋８０を長孔９９に沿って左方へ移動させ、開閉蓋８０を開けた状態を示している。
【０３８１】
図９４(c)及び図９５(c)は、開閉蓋８０を開けたまま、作業員の手作業により、階段部材の掴み金具５０を横桟３から取り外した直後の状態を示している。
【０３８２】
そして、図９４(d)及び図９５(d)は、開閉蓋８０を右方に移動させたのち、作業員が開閉蓋８０を右方へハンマーで叩くか又は力を入れて動かすことによって、クサビ効果を効かせた状態を示す。階段部材の掴み金具を梁材の凹部４６に受容していない状態で、開閉蓋８０はクサビ効果の効いた状態で最右方に固定されている。この開閉蓋８０は作業員による人為的な力を加えなければ水平に保持されているので、開閉蓋８０の上を作業員が通行しても移動することはない。隙間もほとんどないので、ボルト、ナット等の小物が落下するおそれはないし、作業員がこの開閉蓋につまずくおそれもない。
【０３８３】
したがって、図９１〜図９５に示すように、梁材の凹部に階段部材の掴み金具を受容していない状態のときは勿論、受容している状態のときであっても、梁材の凹部４６の上に開閉蓋８０を水平に保持することができる。このとき、開閉蓋８０はクサビ効果の効いた状態で最右方に固定されているので、作業員による人為的な力を加えなければ水平に保持されており、開閉蓋８０の上を作業員が通行しても移動することはない。開閉蓋が水平に保持されていて、隙間もほとんどないので、ボルト、ナット等の小物が落下するおそれはないし、作業員がこの開閉蓋につまずくおそれもない。
【０３８４】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部を受容する必要があるときに蓋を開け、そして、受容しないときには蓋をすることができる。また、階段部材の掴み金具を受容している状態又は受容していない状態のときにはその切欠き部又は凹部の上面に水平にその蓋を保持することによってその切欠き部又は凹部を塞いでおき、そして、掴み金具を取り外すとき又は取り付けるときには手動によりその蓋を回転させて開けることができる。もちろん、この床付き布枠を枠組足場の通常の作業床及び通路に用いるときは、開閉蓋を閉じることによって、その凹部において、横桟との間の隙間を少なくすることができる。
【実施例２９】
【０３８５】
図９６は、本発明に係る床付き布枠の他の例を示したものである。(a)は床付き布枠の全体平面図、(b)は(a)の梁材の端面の楕円Ｏの部分平面拡大図であり、(c)はその正面図、そして、(d)は(b)のＡ−Ａ矢視断面図、(e)は(b)のＢ−Ｂ矢視断面図（背景は図示せず）を、それぞれ示す。
【０３８６】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０３８７】
図９６(d)及び図９６(e)で説明すると、外向きの凹部４６の上には、凹部４６の上の全体を水平に塞ぐことができる開閉蓋８０が設置されている。開閉蓋８０には端部８５が設けられており、補強部材４７の端部にはくびれを２個所に有する長孔１００が水平に設けられている。そして、この補強部材４７の端部に設けられた長孔９９を介して、リベット８９が開閉蓋８０の端部８５に取り付けられていて、リベット８９はこの長孔１００の中を左右に移動することができる。しかしながら、長孔内の右方にくびれが設けられているので、開閉蓋８０がこの長孔１００に沿って自発的に左方に移動しようとしても、リベット８９が長孔内の右方のくびれにぶつかるから、開閉蓋８０は梁材の凹部の上面の最右方に水平状態に蓋が保持されたままとなる。
【０３８８】
図９６(d)及び図９６(e)は、作業員が開閉蓋８０に人為的な力を加えることによって、開閉蓋８０をくびれを２個所に有する長孔１００に沿って最右方に移動させ、くびれによってその位置が固定された状態を示している。また、凹部４６に階段部材の掴み金具を受容していない状態である。開閉蓋８０は梁材の外向きの凹部４６の上の全体を水平に塞ぐ状態で保持されており、長孔内のくびれによって最右方に固定されている。
【０３８９】
そして、この開閉蓋８０は、階段部材の掴み金具を凹部に受容する必要があるときに、作業員が開閉蓋８０に人為的な力を加えることによって、開閉蓋８０をくびれを２個所に有する長孔１００に沿って左方へ移動させ、開閉蓋８０を開ける構造となっている。ここでは、長孔内の左方にもくびれが設けられているので、開閉蓋８０に人為的な力を左方向に一度加えるだけでは、リベット８９が左方のくびれにぶつかって止まるから、開閉蓋８０をこの長孔１００に沿って最左方に移動させることはできない。したがって、開閉蓋８０をこの長孔１００に沿って最左方に移動するためには、開閉蓋８０にもう一度人為的な力を左方向に加える必要があるのである。
【０３９０】
人為的な力としては、ハンマーで開閉蓋８０を作業員がハンマーで叩くことでもよいが、単に作業員が力を込めて開閉蓋８０を移動させるだけでもよい。
【０３９１】
このように、開閉蓋８０は左右の水平方向のみに移動できる構造となっているし、長孔内のくびれによって開閉蓋８０の位置を固定できるから、梁材の凹部４６の上に設置された開閉蓋８０は風力等で自然に移動することはない。
【０３９２】
図９７及び図９８は、作業員の手作業により、図９６に示した本発明に係る床付き布枠について、開閉蓋８０を開けて、階段部材の掴み金具５０を取り付ける作業の手順を示したものである。図９７が図９６(b)のＡ−Ａ矢視断面図、そして、図９８が図９６(b)のＢ−Ｂ矢視断面図（背景は図示せず）を、それぞれ示す。
【０３９３】
図９７(a)及び図９７(a)は、床付き布枠の掴み金具（図示せず）を建枠の横桟３に取り付けることによって、床付き布枠が枠組足場内に設置された状態を示す。階段部材の掴み金具は凹部に受容されていない。長孔内のくびれによって、開閉蓋８０は最右方に固定されている。
【０３９４】
次に、図９７(b)及び図９８(b)は、開閉蓋８０を作業員が手作業で長孔内の２個所のくびれを通過させて、開閉蓋８０を長孔１００に沿って左方へ移動させ、開閉蓋８０を開けた状態を示している。開閉蓋８０の開いた部分は、階段部材の掴み金具５０を受容することができるだけのスペースを有している。
【０３９５】
図９７(c)及び図９８(c)は、開閉蓋８０を開けたまま、作業員の手作業により、階段部材の掴み金具５０を横桟３に取り付けた直後の状態を示している。
【０３９６】
そして、図９７(d)及び図９８(d)は、開閉蓋８０を作業員が手作業で長孔内の２個所のくびれを通過させて、開閉蓋８０を長孔１００に沿って右方へ移動させ、開閉蓋８０を閉じた状態を示している。階段部材の掴み金具は梁材の凹部４６に受容された状態で、開閉蓋８０は長孔内のくびれによって最右方に固定されている。この開閉蓋８０は作業員による人為的な力を加えなければ水平に保持されているので、開閉蓋８０の上を作業員が通行しても移動することはない。隙間もほとんどないので、ボルト、ナット等の小物が落下するおそれはないし、作業員がこの開閉蓋につまずくおそれもない。
【０３９７】
そして、階段部材の掴み金具５０を取り外すときには、図９７及び図９８に示すのとは逆の手順で、作業すればよい。
【０３９８】
図９９及び図１００は、作業員の手作業により、図９６に示した本発明に係る床付き布枠について、開閉蓋８０を開けて、階段部材の掴み金具５０を取り外す作業の手順を示したものである。図９９が図９６(b)のＡ−Ａ矢視断面図、そして、図１００が図９６(b)のＢ−Ｂ矢視断面図（背景は図示せず）を、それぞれ示す。
【０３９９】
図９９(a)及び図１００(a)は、床付き布枠の掴み金具（図示せず）が建枠の横桟３に取り付けられ、また、階段部材の掴み金具５０は梁材の上部フランジ４１の凹部４６に受容されたまま、開閉蓋８０は長孔内のくびれによって最右方に固定されている状態を示す。
【０４００】
次に、図９９(b)及び図１００(b)は、開閉蓋８０を作業員が手作業で長孔内の２個所のくびれを通過させて、開閉蓋８０を長孔１００に沿って左方へ移動させ、開閉蓋８０を開けた状態を示している。
【０４０１】
図９９(c)及び図１００(c)は、開閉蓋８０を開けたまま、作業員の手作業により、階段部材の掴み金具５０を横桟３から取り外した直後の状態を示している。
【０４０２】
そして、図９９(d)及び図１００(d)は、開閉蓋８０を作業員が手作業で長孔内の２個所のくびれを通過させて、開閉蓋８０を長孔１００に沿って右方へ移動させ、開閉蓋８０を開じた状態を示す。階段部材の掴み金具を梁材の凹部４６に受容していない状態で、開閉蓋８０は長孔内のくびれによって最右方に固定されている。この開閉蓋８０は作業員による人為的な力を加えなければ水平に保持されているので、開閉蓋８０の上を作業員が通行しても移動することはない。隙間もほとんどないので、ボルト、ナット等の小物が落下するおそれはないし、作業員がこの開閉蓋につまずくおそれもない。
【０４０３】
したがって、図９６〜図１００に示すように、梁材の凹部に階段部材の掴み金具を受容していない状態のときは勿論、受容している状態のときであっても、梁材の凹部４６の上に開閉蓋８０を水平に保持することができる。このとき、開閉蓋８０は長孔内のくびれによって最右方に固定されているので、作業員による人為的な力を加えなければ水平に保持されており、開閉蓋８０の上を作業員が通行しても移動することはない。開閉蓋が水平に保持されていて、隙間もほとんどないので、ボルト、ナット等の小物が落下するおそれはないし、作業員がこの開閉蓋につまずくおそれもない。
【０４０４】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部を受容する必要があるときに蓋を開け、そして、受容しないときには蓋をすることができる。また、階段部材の掴み金具を受容している状態又は受容していない状態のときにはその切欠き部又は凹部の上面に水平にその蓋を保持することによってその切欠き部又は凹部を塞いでおき、そして、掴み金具を取り外すとき又は取り付けるときには手動によりその蓋を回転させて開けることができる。もちろん、この床付き布枠を枠組足場の通常の作業床及び通路に用いるときは、開閉蓋を閉じることによって、その凹部において、横桟との間の隙間を少なくすることができる。
【実施例３０】
【０４０５】
図１０１は、本発明に係る床付き布枠の他の例を示したものである。(a)は床付き布枠の全体平面図、(b)は(a)の梁材の端面の楕円Ａの部分平面拡大図であり、(c)はその正面図、そして、(d)は(b)のＧ−Ｇ矢視断面図、(e)は(b)のＨ−Ｈ矢視断面図（背景は図示せず。）を、それぞれ示す。
【０４０６】
ここでは、床付き布枠の梁材は、突出部４４を有する上側フランジ４１と、下側フランジ４２と、上部を外側に傾斜させてなるウェブ４３からなり、断面は倒立台形状となっている。梁材の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０４０７】
図１０１(d)及び図１０１(e)で説明すると、外向きの凹部４６の上には、凹部４６の上の全体を水平に塞ぐことができる開閉蓋８０が設置されている。開閉蓋８０には端部８５が設けられており、補強部材４７の端部には水平方向に長孔８８が設けられている。そして、この補強部材４７の端部に設けられた長孔８８を介して、リベット８９が開閉蓋８０の端部８５に取り付けられていて、リベット８９はこの長孔８８の中を移動自在であるから、開閉蓋８０は長孔８８に沿って左右に移動できるようになっている。
【０４０８】
また、この開閉蓋８０には縁部８６が設けられており、この縁部８６と補強部材４７の間には押しバネ９４が２箇所設けられている。したがって、人為的な力をかけなければ、この押しバネ９４の付勢力によって、梁材の凹部の上面の最右方に水平状態に蓋が保持される。
【０４０９】
図１０１(d)及び図１０１(e)は、この押しバネ９４の付勢力によって、梁材の凹部の上面の最右方に水平状態に蓋が保持されている状態を示している。すなわち、この開閉蓋８０は梁材の凹部４６に階段部材の掴み金具５０を受容していない状態のときは、この押しバネ９４の付勢力によって、梁材の凹部の上面の最右方に水平状態に蓋が保持されている。
【０４１０】
そして、この開閉蓋８０は、階段部材の掴み金具を凹部に受容する必要があるときに、人為的な力をかけることで、押しバネ９４の付勢力に逆らって開閉蓋８０を長孔８８に沿って左方に移動させることによって、開閉蓋８０を開ける構造となっている。開閉蓋８０を開けるための人為的な力としては、作業員による手作業の外に、階段部材の掴み金具を凹部に受容させるときの掴み金具の下方への動きの力を利用することができる。なお、ここには明示しなかったが、押しバネ９４の付勢力に逆らって開閉蓋８０を長孔８８に沿って左方に移動させた位置で開閉蓋８０を固定できるストッパーを設置することによって、作業員が開閉蓋８０から手を離しても開閉蓋８０を開けた状態に保持することができる。
【０４１１】
このように、開閉蓋８０は左右の水平方向のみに移動できる構造となっており、この開閉蓋８０は梁材の凹部４６に階段部材の掴み金具５０を受容していない状態のときは、押しバネ９４の付勢力によって、梁材の凹部の上面の最右方に水平状態に蓋が保持されているから、梁材の凹部の上に設置された開閉蓋８０は風にあおられても、開閉蓋８０が不意に持ち上がったり開いたりすることはないので、作業員が開閉蓋８０につまずいて転倒するおそれもない。
【０４１２】
図１０２及び図１０３は、作業員の手作業により、図１０１に示した本発明に係る床付き布枠について、開閉蓋８０を開けて、階段部材の掴み金具５０を取り付ける作業の手順を示したものである。図１０２が図１０１(b)のＧ−Ｇ矢視断面図、そして、図１０３が図９６(b)のＨ−Ｈ矢視断面図（背景は図示せず）を、それぞれ示す。
【０４１３】
図１０２(a)及び図１０３(a)は、床付き布枠の掴み金具（図示せず）を建枠の横桟３に取り付けることによって、床付き布枠が枠組足場内に設置された状態を示す。階段部材の掴み金具は凹部に受容されていない。押しバネ９４の付勢力によって、開閉蓋８０は最右方に保持されている。
【０４１４】
次に、図１０２(b)及び図１０３(b)は、開閉蓋８０を作業員が手作業により、押しバネ９４の付勢力に逆らって、開閉蓋８０を長孔８８に沿って左方へ移動させ、開閉蓋８０を開けた状態を示している。開閉蓋８０の開いた部分は、階段部材の掴み金具５０を受容することができるだけのスペースを有している。
【０４１５】
図１０２(c)及び図１０３(c)は、開閉蓋８０を開けたまま、作業員の手作業により、階段部材の掴み金具５０を横桟３に取り付けた直後の状態を示している。
【０４１６】
そして、図１０２(d)及び図１０３(d)は、作業員が手作業により又は押しバネ９４の付勢力により開閉蓋８０を長孔８８に沿って右方へ移動させ、開閉蓋８０を閉じた状態を示している。階段部材の掴み金具は梁材の凹部４６に受容された状態で、押しバネ９４の付勢力により、開閉蓋８０は開閉蓋８０は最右方に保持されている。この開閉蓋８０は作業員による人為的な力を加えなければ水平に保持されているので、開閉蓋８０の上を作業員が通行しても移動することはない。隙間もほとんどないので、ボルト、ナット等の小物が落下するおそれはないし、作業員がこの開閉蓋につまずくおそれもない。
【０４１７】
そして、階段部材の掴み金具５０を取り外すときには、図１０２及び図１０３に示すのとは逆の手順で、作業すればよい。
【０４１８】
図１０４及び図１０５は、作業員の手作業により、図１０１に示した本発明に係る床付き布枠について、開閉蓋８０を開けて、階段部材の掴み金具５０を取り外す作業の手順を示したものである。図１０４が図１０１(b)のＧ−Ｇ矢視断面図、そして、図１０５が図１０１(b)のＨ−Ｈ矢視断面図（背景は図示せず）を、それぞれ示す。
【０４１９】
図１０４(a)及び図１０５(a)は、床付き布枠の掴み金具（図示せず）が建枠の横桟３に取り付けられ、また、階段部材の掴み金具５０は梁材の上部フランジ４１の凹部４６に受容されたまま、開閉蓋８０は押しバネ９４の付勢力によって最右方に固定されている状態を示す。
【０４２０】
次に、図１０４(b)及び図１０５(b)は、作業員が手作業により、押しバネ９４の付勢力に逆らって、開閉蓋８０を長孔８８に沿って左方へ移動させ、開閉蓋８０を開けた状態を示している。
【０４２１】
図１０４(c)及び図１０５(c)は、開閉蓋８０を開けたまま、作業員の手作業により、階段部材の掴み金具５０を横桟３から取り外した直後の状態を示している。
【０４２２】
そして、図１０４(d)及び図１０５(d)は、作業員が手作業により又は押しバネ９４の付勢力により開閉蓋８０を長孔８８に沿って右方へ移動させ、開閉蓋８０を閉じた状態を示している。階段部材の掴み金具を梁材の凹部４６に受容していない状態で、開閉蓋８０は押しバネ９４の付勢力によって、最右方に固定されている。この開閉蓋８０は作業員による人為的な力を加えなければ水平に保持されているので、開閉蓋８０の上を作業員が通行しても移動することはない。隙間もほとんどないので、ボルト、ナット等の小物が落下するおそれはないし、作業員がこの開閉蓋につまずくおそれもない。
【０４２３】
したがって、図１０１〜図１０５に示すように、梁材の凹部に階段部材の掴み金具を受容していない状態のときは勿論、受容している状態のときであっても、梁材の凹部４６の上に開閉蓋８０を水平に保持することができる。このとき、開閉蓋８０は押しバネ９４の付勢力によって最右方に固定されているので、作業員による人為的な力を加えなければ水平に保持されており、開閉蓋８０の上を作業員が通行しても移動することはない。開閉蓋が水平に保持されていて、隙間もほとんどないので、ボルト、ナット等の小物が落下するおそれはないし、作業員がこの開閉蓋につまずくおそれもない。
【０４２４】
このように、この床付き布枠は、梁材に外向きの幅広の凹部を設け、かつ、その凹部の中央位置と梁材の中央位置とを異ならせしめたことにより、階段部材をどの場所にも組み込むことができる。また、枠組足場の作業床及び通路の幅の一部を広げたりステージングを組み込んでも、平行する床付き布枠との間の隙間の発生は少ない。さらに、梁材に設けた外向きの幅広の凹部の上に開閉可能な蓋を設けてあるので、建枠の縦柱又は支柱とブラケットの固定部を受容する必要があるときに蓋を開け、そして、受容しないときには蓋をすることができる。また、階段部材の掴み金具を受容している状態又は受容していない状態のときにはその切欠き部又は凹部の上面に水平にその蓋を保持することによってその切欠き部又は凹部を塞いでおき、そして、掴み金具を取り外すとき又は取り付けるときには手動によりその蓋を回転させて開けることができる。もちろん、この床付き布枠を枠組足場の通常の作業床及び通路に用いるときは、開閉蓋を閉じることによって、その凹部において、横桟との間の隙間を少なくすることができる。
【産業上の利用可能性】
【０４２５】
本発明によれば、階段部材をどの場所にも組み込むことができ、かつ、枠組足場の作業床及び通路の幅の一部を広げたりステージングを組み込んでも隙間の発生の少ない床付き布枠と、この床付き布枠を組み込んでなる枠組足場を提供することができる。
【０４２６】
また、本発明において、梁材に設けた外向きの幅広の凹部の上に開閉可能な蓋を設けた場合には、建枠の縦柱又は支柱とブラケットの固定部を受容する必要があるときに蓋を開け、そして、受容しないときには蓋をすることができる。この場合、この床付き布枠を枠組足場の通常の作業床及び通路に用いるときは、開閉蓋を閉じることによって、その凹部において、横桟との間の隙間を少なくすることができる。
【０４２７】
さらに、本発明においては、開閉蓋の形状を工夫することによって、階段部材の掴み金具を受容している状態又は受容していない状態のときにはその切欠き部又は凹部の上面に水平にその蓋を保持することによってその切欠き部又は凹部を塞いでおき、そして、掴み金具を取り外すとき又は取り付けるときには手動によりその蓋を回転させて開けるようにすることもできる。
【図面の簡単な説明】
【０４２８】
【図１】Ｈ枠を用いて建枠式の枠組足場を形成する一例である。
【図２】鳥居枠を用いて建枠式の枠組足場を形成する一例である。
【図３】緊結式足場の構造の一例を示す。
【図４】従来技術に係る床付き布枠の一例である。
【図５】図４に示す従来技術に係る床付き布枠の端部の拡大図である。
【図６】従来技術に係る床付き布枠の２例を示す。
【図７】従来技術に係る床付き布枠を隣接する建枠の横桟の間に架け渡して作業床および通路として設置したときの３例を示す。
【図８】従来技術に係る枠組足場に階段部材を組み込んだときの２例を示す。
【図９】隣接する建枠の横桟に従来技術に係る床付き布枠を架け渡す際に床付き布枠の両端に生じる隙間を示す一例である。
【図１０】床付き布枠の端面を外方向に延長した一例(参考例)を示す。
【図１１】床付き布枠の端面を外方向に延長した他の参考例を示す。
【図１２】図１０の床付き布枠を隣接する建枠の横桟の間に架け渡したところに階段部材を設置する他の２例である。
【図１３】図１０の床付き布枠を隣接する建枠の横桟の間に架け渡したところに階段部材を設置する他の２例である。
【図１４】鳥居枠の縦柱の外側に長さ可変の横材を有するブラケットを取り付けてなる一例（参考例）である。
【図１５】図１４に示す鳥居枠を用いて枠組足場の作業床および通路の幅を拡げてなる一例である。
【図１６】梁材の中央部に外向きの凹部を設けてなる床付き布枠の一例（参考例）の端部を示す。
【図１７】図１６に示される床付き布枠を、隣接する建枠の横桟の間に架け渡したときの床付き布枠の端部の状況を示す。
【図１８】図１６に示される床付き布枠（大アンチ）を小アンチと組み合わせて、隣接する建枠の横桟の間に架け渡したところに階段部材を設置する２例である。
【図１９】図１６に示される床付き布枠（大アンチ）の２枚を隣接する建枠の横桟の間に架け渡したところに階段部材を設置する２例である。
【図２０】図１４に示す鳥居枠の上に、図１６で示される床付き布枠を架け渡そうとした一例（平面図）である。
【図２１】梁材又は突出部材の中央部に設ける外向きの切欠き部又は凹部を幅広にした床付き布枠の一例（参考例）である。
【図２２】図１４に示す鳥居枠の上に、既設の大アンチ１枚に加えて、新たに図２１で示す床付き布枠（異種の大アンチ）１枚を架け渡した一例（平面図）である。
【図２３】図２２に示す２つの床付き布枠（異種の大アンチ２枚）に加えて、さらに、小アンチ２５（２４０ｍｍ幅）１枚を平行に追加して架け渡そうとした場合の枠組足場の平面図である。
【図２４】床付き布枠の両端部に設けられた梁材又は突出部材の中央部に設ける外向きの切欠き部又は凹部を幅広にした上で、切欠き部又は凹部の中央位置と突出部材の中央位置とを異ならせた床付き布枠の一例（本発明例）である。
【図２５】図２４に示される本発明例に係る床付き布枠（大アンチ２６）を小アンチ２５と組み合わせて、隣接する建枠の横桟の間に架け渡したところに階段部材を設置する２例の全体平面図を示す。
【図２６】図２５(a)の長円で示される部分の拡大平面図を示す。
【図２７】本発明の他の例に係る床付き布枠（大アンチ２６）を小アンチと組み合わせて、隣接する建枠の横桟の間に架け渡した１例である。図２７(a)が全体平面図を、そして、図２７(b)は図２７(a)の長円で示される部分の拡大平面図を示す。
【図２８】図１４に示す鳥居枠の上に、既設の大アンチ１枚に加えて、新たに図２４で示す床付き布枠（異種の大アンチ）１枚を架け渡した一例である。図２８(a)が全体の平面図を、そして、図２８(b)が図２８(a)の長円で示される部分の拡大平面図を示す。
【図２９】図２８に示す２つの床付き布枠（異種の大アンチ２枚）に加えて、さらに、小アンチ２５（２４０ｍｍ幅）１枚を平行に追加して架け渡そうとした場合の枠組足場の平面図である。
【図３０】枠組足場にステージングを組み込んでなる一例である。
【図３１】本発明に係る床付き布枠の一例である。
【図３２】本発明に係る床付き布枠の他の例）である。
【図３３】本発明に係る床付き布枠の他の例（である。
【図３４】本発明に係る床付き布枠の他の例である。
【図３５】本発明に係る床付き布枠の他の例である。
【図３６】本発明に係る床付き布枠の他の例である。
【図３７】本発明に係る床付き布枠の他の例である。
【図３８】本発明に係る床付き布枠の他の例である。
【図３９】本発明に係る床付き布枠の他の例である。
【図４０】本発明に係る床付き布枠の他の例を示したものである。
【図４１】図４０に示した本発明に係る床付き布枠について、開閉蓋を開ける作業の手順を示したものである。
【図４２】図４１に示した床付き布枠の変形例である。ける作業の手順を示したものである。
【図４３】本発明に係る床付き布枠の他の例を示したものである。
【図４４】図４３に示した本発明に係る床付き布枠について、開閉蓋を開ける作業の手順を示したものである。
【図４５】図４３に示した本発明に係る床付き布枠について、開閉蓋を開ける作業の手順を示したものである。
【図４６】本発明に係る床付き布枠の他の例を示したものである。
【図４７】図４６に示した本発明に係る床付き布枠について、開閉蓋を開ける作業の手順を示したものである。
【図４８】図４６に示した本発明に係る床付き布枠について、開閉蓋を開ける作業の手順を示したものである。
【図４９】本発明に係る床付き布枠の他の例を示したものである。
【図５０】図４９に示した本発明に係る床付き布枠について、開閉蓋を開ける作業の手順を示したものである。
【図５１】図４９に示した本発明に係る床付き布枠について、開閉蓋を開ける作業の手順を示したものである。
【図５２】本発明に係る床付き布枠の他の例を示したものである。
【図５３】図５２に示した本発明に係る床付き布枠について、開閉蓋を開ける作業の手順を示したものである。
【図５４】図５２に示した本発明に係る床付き布枠について、開閉蓋を開ける作業の手順を示したものである。
【図５５】本発明に係る床付き布枠の他の例を示したものである。
【図５６】図５５に示した本発明に係る床付き布枠について、開閉蓋を開けた後の状態を示したものである。
【図５７】本発明に係る床付き布枠の他の例を示したものである。
【図５８】本発明に係る床付き布枠の他の例を示したものである。
【図５９】本発明に係る床付き布枠の他の例を示したものである。
【図６０】図５９に示した本発明に係る床付き布枠について、開閉蓋を開ける作業の手順を示したものである。
【図６１】本発明に係る床付き布枠の他の例であって、図５９に示した床付き布枠の変形例である。
【図６２】図６１に示した本発明に係る床付き布枠について、開閉蓋を開ける作業の手順を示したものである。
【図６３】本発明に係る床付き布枠の他の例であって、図５９に示した床付き布枠の変形例である。
【図６４】図６３に示した本発明に係る床付き布枠について、開閉蓋を開ける作業の手順を示したものである。
【図６５】本発明に係る床付き布枠の他の例であって、図５９に示した床付き布枠の変形例である。
【図６６】図６５に示した本発明に係る床付き布枠について、開閉蓋を開ける作業の手順を示したものである。
【図６７】本発明に係る床付き布枠の他の例を示したものである。
【図６８】図６７に示した本発明に係る床付き布枠について、開閉蓋を開ける作業の手順を示したものである。
【図６９】図６７に示した本発明に係る床付き布枠について、開閉蓋を開ける作業の手順を示したものである。
【図７０】本発明に係る床付き布枠の他の例を示したものである。
【図７１】図７０に示した本発明に係る床付き布枠について、一方の開閉蓋を開けたところである。
【図７２】本発明に係る床付き布枠の他の例を示したものである。
【図７３】図７２に示した床付き布枠について、開閉蓋を開ける作業の手順を示したものである。
【図７４】図７２に示した床付き布枠について、開閉蓋を開ける作業の手順を示したものである。
【図７５】図７４(c)に示された開閉蓋が開かれた状態で、階段部材の掴み金具５０を建枠の横桟３に取り付ける際の動きを示す
【図７６】図７５(b)に示された開閉蓋８０を、階段部材の掴み金具５０を建枠の横桟３に取り付けた状態で、開かれた状態から右回転させて閉じる際の動きを示す。
【図７７】本発明に係る床付き布枠の他の例を示したものである。(
【図７８】図７７に示した開閉蓋を開ける作業の手順を示したものである。
【図７９】図７７に示した開閉蓋を開ける作業の手順を示したものである。図７７(b)のＦ−Ｆ矢視断面図（背景は図示せず）を示す。
【図８０】作業員の手作業により、図７７に示した開閉蓋８０が開かれた状態のときに階段部材の掴み金具５０を取り付ける作業の手順を示したものである。
【図８１】図７７に示した開閉蓋が開かれた状態のときに階段部材の掴み金具を取り付ける作業の手順を示したものである。
【図８２】階段部材の掴み金具を受容しているときに、図７７に示した開閉蓋を閉じる作業の手順を示したものである。
【図８３】階段部材の掴み金具を受容しているときに、図７７に示した開閉蓋を閉じる作業の手順を示したものである。
【図８４】本発明に係る床付き布枠の他の例を示したものである。
【図８５】図８４に示した開閉蓋を開ける作業の手順を示したものである。
【図８６】作業員の手作業により、図８４に示した開閉蓋を開ける作業の手順を示したものである。
【図８７】図８４に示した開閉蓋が開かれた状態のときに階段部材の掴み金具５０を取り付ける作業の手順を示したものである。
【図８８】図８４に示した開閉蓋が開かれた状態のときに階段部材の掴み金具を取り付ける作業の手順を示したものである。
【図８９】階段部材の掴み金具を受容しているときに、図８４に示した開閉蓋を閉じる作業の手順を示したものである。
【図９０】階段部材の掴み金具を受容しているときに、図８４に示した開閉蓋を閉じる作業の手順を示したものである。
【図９１】本発明に係る床付き布枠の他の例を示したものである。
【図９２】図９１に示した床付き布枠について、開閉蓋を開けて、階段部材の掴み金具を取り付ける作業の手順を示したものである。
【図９３】図９１に示した床付き布枠について、開閉蓋を開けて、階段部材の掴み金具を取り付ける作業の手順を示したものである。
【図９４】図９１に示した本発明に係る床付き布枠について、開閉蓋を開けて、階段部材の掴み金具を取り外す作業の手順を示したものである。
【図９５】図９１に示した床付き布枠について、開閉蓋を開けて、階段部材の掴み金具を取り外す作業の手順を示したものである。
【図９６】本発明に係る床付き布枠の他の例を示したものである。
【図９７】図９６に示した床付き布枠について、開閉蓋を開けて、階段部材の掴み金具を取り付ける作業の手順を示したものである。
【図９８】図９６に示した床付き布枠について、開閉蓋を開けて、階段部材の掴み金具を取り付ける作業の手順を示したものである。
【図９９】図９６に示した本発明に係る床付き布枠について、開閉蓋を開けて、階段部材の掴み金具を取り外す作業の手順を示したものである。
【図１００】図９６に示した本発明に係る床付き布枠について、開閉蓋を開けて、階段部材の掴み金具を取り外す作業の手順を示したものである。
【図１０１】本発明に係る床付き布枠の他の例を示したものである。
【図１０２】図１０１に示した本発明に係る床付き布枠について、開閉蓋を開けて、階段部材の掴み金具を取り付ける作業の手順を示したものである。
【図１０３】図１０１に示した本発明に係る床付き布枠について、開閉蓋を開けて、階段部材の掴み金具を取り付ける作業の手順を示したものである。
【図１０４】図１０１に示した本発明に係る床付き布枠について、開閉蓋を開けて、階段部材の掴み金具を取り外す作業の手順を示したものである。
【図１０５】図１０１に示した本発明に係る床付き布枠について、開閉蓋を開けて、階段部材の掴み金具を取り外す作業の手順を示したものである。
【符号の説明】
【０４２９】
１  Ｈ枠
２  縦柱
３  横桟
４  鳥居枠
５  長さ可変の横材
６ａ、６ｂ  ロック金具
７ａ、７ｂ  ロック金具
８ａ、８ｂ  ロック金具
９  つなぎ金具
１０  手摺枠
１１  床付き布枠
１３  筋違
１４  支柱
１５  作業用手摺
１６  支柱部材
１７  ブラケット
１８  ブラケットの固定部
１９  ブレース材
２０  コマ
２１  腕木材
２２  建物
２５  小アンチ
２５ａ  既設の小アンチ
２５ｂ  新設の小アンチ
２６  大アンチ
２６ａ  既設の大アンチ
２６ｂ  新設の大アンチ
３０  主材
３１  床材部
３２ａ、３２ｂ  布材部
３３  リップ
３４  布材部のリベット穴
３５  リベット
３６  床材部の溝
３７  リップの屈曲部
４０  梁材
４１  梁材の上側フランジ
４２  梁材の下側フランジ
４３  梁材のウェブ
４４  梁材の上側フランジの突出部
４５  梁材の突出部の切欠き部
４６  梁材の突出部の凹部
４７  補強部材
４８  梁材の上側フランジの延長部材
４９  補強部材の両端部に形成された凸部（突起）
５０  掴み金具
５１  掴み金具のリベット穴
５２  掴み金具の外れ止め
６０  突出部材
６１  突出部材の切欠き部
６２  突出部材の凹部
６３  リブ
７０  桟木
７１  エンボス加工
７２  隙間
７５  階段部材
７６  階段開口手摺り
８０  開閉蓋
８１  回転軸
８２  蝶番
８３  コイルバネ
８４  コイルバネ取付孔
８５  開閉蓋の端部
８６  開閉蓋の縁部
８６ａ  開閉蓋の内側縁部
８６ｂ  開閉蓋の外側縁部
８６ｃ  開閉蓋の外側縁部のカット部分
８７  引きバネ
８８  長孔
８９  リベット
９０  クサビ効果のある凸部
９１  クサビ効果のある突起
９２  下方への回転防止用ストッパー
９３  開閉蓋の切り込み
９４  押しバネ
９５  板バネ
９６  ボルト
９７  ナット
９８  ゴム材
９９  クサビ効果のある長孔
１００  凸部のある長孔
Ｗ１、Ｗ２、Ｗ３、Ｗ４  溶接
【図１】
2010070975.tif 000003
【図２】
2010070975.tif 000004
【図３】
2010070975.tif 000005
【図４】
2010070975.tif 000006
【図５】
2010070975.tif 000007
【図６】
2010070975.tif 000008
【図７】
2010070975.tif 000009
【図８】
2010070975.tif 000010
【図９】
2010070975.tif 000011
【図１０】
2010070975.tif 000012
【図１１】
2010070975.tif 000013
【図１２】
2010070975.tif 000014
【図１３】
2010070975.tif 000015
【図１４】
2010070975.tif 000016
【図１５】
2010070975.tif 000017
【図１６】
2010070975.tif 000018
【図１７】
2010070975.tif 000019
【図１８】
2010070975.tif 000020
【図１９】
2010070975.tif 000021
【図２０】
2010070975.tif 000022
【図２１】
2010070975.tif 000023
【図２２】
2010070975.tif 000024
【図２３】
2010070975.tif 000025
【図２４】
2010070975.tif 000026
【図２５】
2010070975.tif 000027
【図２６】
2010070975.tif 000028
【図２７】
2010070975.tif 000029
【図２８】
2010070975.tif 000030
【図２９】
2010070975.tif 000031
【図３０】
2010070975.tif 000032
【図３１】
2010070975.tif 000033
【図３２】
2010070975.tif 000034
【図３３】
2010070975.tif 000035
【図３４】
2010070975.tif 000036
【図３５】
2010070975.tif 000037
【図３６】
2010070975.tif 000038
【図３７】
2010070975.tif 000039
【図３８】
2010070975.tif 000040
【図３９】
2010070975.tif 000041
【図４０】
2010070975.tif 000042
【図４１】
2010070975.tif 000043
【図４２】
2010070975.tif 000044
【図４３】
2010070975.tif 000045
【図４４】
2010070975.tif 000046
【図４５】
2010070975.tif 000047
【図４６】
2010070975.tif 000048
【図４７】
2010070975.tif 000049
【図４８】
2010070975.tif 000050
【図４９】
2010070975.tif 000051
【図５０】
2010070975.tif 000052
【図５１】
2010070975.tif 000053
【図５２】
2010070975.tif 000054
【図５３】
2010070975.tif 000055
【図５４】
2010070975.tif 000056
【図５５】
2010070975.tif 000057
【図５６】
2010070975.tif 000058
【図５７】
2010070975.tif 000059
【図５８】
2010070975.tif 000060
【図５９】
2010070975.tif 000061
【図６０】
2010070975.tif 000062
【図６１】
2010070975.tif 000063
【図６２】
2010070975.tif 000064
【図６３】
2010070975.tif 000065
【図６４】
2010070975.tif 000066
【図６５】
2010070975.tif 000067
【図６６】
2010070975.tif 000068
【図６７】
2010070975.tif 000069
【図６８】
2010070975.tif 000070
【図６９】
2010070975.tif 000071
【図７０】
2010070975.tif 000072
【図７１】
2010070975.tif 000073
【図７２】
2010070975.tif 000074
【図７３】
2010070975.tif 000075
【図７４】
2010070975.tif 000076
【図７５】
2010070975.tif 000077
【図７６】
2010070975.tif 000078
【図７７】
2010070975.tif 000079
【図７８】
2010070975.tif 000080
【図７９】
2010070975.tif 000081
【図８０】
2010070975.tif 000082
【図８１】
2010070975.tif 000083
【図８２】
2010070975.tif 000084
【図８３】
2010070975.tif 000085
【図８４】
2010070975.tif 000086
【図８５】
2010070975.tif 000087
【図８６】
2010070975.tif 000088
【図８７】
2010070975.tif 000089
【図８８】
2010070975.tif 000090
【図８９】
2010070975.tif 000091
【図９０】
2010070975.tif 000092
【図９１】
2010070975.tif 000093
【図９２】
2010070975.tif 000094
【図９３】
2010070975.tif 000095
【図９４】
2010070975.tif 000096
【図９５】
2010070975.tif 000097
【図９６】
2010070975.tif 000098
【図９７】
2010070975.tif 000099
【図９８】
2010070975.tif 000100
【図９９】
2010070975.tif 000101
【図１００】
2010070975.tif 000102
【図１０１】
2010070975.tif 000103
【図１０２】
2010070975.tif 000104
【図１０３】
2010070975.tif 000105
【図１０４】
2010070975.tif 000106
【図１０５】
2010070975.tif 000107